(57)【要約】無線スピーカデバイスは、ドアベルなどの無線Ａ／Ｖ記録及び通信デバイスと共に使用するように構成される。無線スピーカデバイスは、Ｗｉ−Ｆｉネットワークなどのユーザのローカルエリアネットワーク（ＬＡＮ）に接続してもよい。無線Ａ／Ｖ記録及び通信デバイスが訪問者を検出するとき、それは、ＬＡＮを介して、サーバに信号を送信する。それに応答して、サーバは、無線スピーカデバイスに信号を送信する。無線スピーカデバイスへの信号は、そのスピーカを通じてトーンを発するための、無線スピーカデバイスに対するコマンドを含む。無線スピーカデバイスは次いで、ユーザに訪問者が無線Ａ／Ｖ記録及び通信デバイスにあることを警告するように、そのスピーカを通じてトーンを発する。無線スピーカデバイスは更に、１つ以上のＬＡＮデバイスから無線信号を受信し、無線信号を再ブロードキャストするように構成された無線リピータを含んでもよい。【選択図】図１
2019527963.tif 000002
【特許請求の範囲】
【請求項１】
無線音声／ビデオ（Ａ／Ｖ）記録及び通信ドアベルと共に使用するように構成された無線スピーカデバイスであって、
前記無線Ａ／Ｖ記録及び通信ドアベルがルータから無線信号を直接受信する能力を有さないとき、前記ルータから前記無線Ａ／Ｖ記録及び通信ドアベルに受信された前記無線信号を再ブロードキャストするように構成された無線リピータを含む無線通信モジュールと、
前記無線スピーカデバイスがバックエンドサーバからトーン信号を受信するとき、トーンを発するように構成されたスピーカと、
を含む、前記無線スピーカデバイス。
【請求項２】
前記無線スピーカデバイスは更に、前記バックエンドサーバが前記無線Ａ／Ｖ記録及び通信ドアベルから訪問者検出信号を受信したことに応答して、前記バックエンドサーバから前記トーン信号を受信するように構成され、
前記訪問者検出信号は、訪問者が前記無線Ａ／Ｖ記録及び通信ドアベルにおいて検出されたことを示す、請求項１に記載の無線スピーカデバイス。
【請求項３】
前記無線Ａ／Ｖ記録及び通信ドアベルは、ボタンを含み、
前記訪問者検出信号は、前記ドアベルのボタンが押下されたことを示すボタン押下信号を含む、請求項２に記載の無線スピーカデバイス。
【請求項４】
前記無線Ａ／Ｖ記録及び通信ドアベルは更に、動き検出器を含み、
前記訪問者検出信号は、前記動き検出器が前記無線Ａ／Ｖ記録及び通信ドアベルにおいて動きを検出したことに応答して受信される、請求項２に記載の無線スピーカデバイス。
【請求項５】
前記無線スピーカデバイス並びに前記無線Ａ／Ｖ記録及び通信ドアベルは、前記ルータも接続されたローカルエリアネットワーク（ＬＡＮ）に接続されている、請求項１に記載の無線スピーカデバイス。
【請求項６】
前記無線通信モジュールは更に、前記ＬＡＮとは独立して、かつ直接無線通信を介して別の無線デバイスと通信するように構成されている、請求項５に記載の無線スピーカデバイス。
【請求項７】
無線スピーカが無線音声／ビデオ（Ａ／Ｖ）記録及び通信ドアベルと通信する方法であって、
ルータから無線信号を受信し、前記無線Ａ／Ｖ記録及び通信ドアベルに前記無線信号を再ブロードキャストすることと、
バックエンドサーバが前記無線Ａ／Ｖ記録及び通信ドアベルから、訪問者が前記無線Ａ／Ｖ記録及び通信ドアベルにおいて検出されたことを示す訪問者検出信号を受信するとき、前記バックエンドサーバからトーン信号を受信することと、
前記トーン信号を受信したことに応答して、前記無線スピーカデバイスのスピーカからトーンを発することと、
を含む、前記方法。
【請求項８】
前記無線Ａ／Ｖ記録及び通信ドアベルは、ボタンを含み、前記訪問者検出信号は、前記ボタンが押下されたことに応答して受信される、請求項７に記載の方法。
【請求項９】
前記無線スピーカデバイス並びに前記無線Ａ／Ｖ記録及び通信ドアベルは、前記ルータも接続されたローカルエリアネットワーク（ＬＡＮ）に接続されている、請求項８に記載の方法。
【請求項１０】
前記無線Ａ／Ｖ記録及び通信ドアベルは更に、少なくとも１つの動き検出器を含む、請求項７に記載の方法。
【請求項１１】
前記訪問者検出信号は、前記少なくとも１つの動き検出器が前記無線Ａ／Ｖ記録及び通信ドアベルにおいて動きを検出したことに応答して受信される、請求項１０に記載の方法。
【請求項１２】
無線スピーカデバイスの少なくとも１つの処理ユニットによって実行可能なプログラムを記憶した前記無線スピーカデバイスの非一時的機械可読媒体であって、前記プログラムは、無線音声／ビデオ（Ａ／Ｖ）記録及び通信ドアベルが訪問者を検出するとき、トーンを発するためのものであり、前記プログラムは、
前記無線スピーカデバイス並びに前記無線Ａ／Ｖ記録及び通信ドアベルも接続されたローカルエリアネットワーク（ＬＡＮ）に接続されたルータから無線信号を受信すること、
前記無線Ａ／Ｖ記録及び通信ドアベルに前記無線信号を再ブロードキャストすること、
バックエンドサーバが前記無線Ａ／Ｖ記録及び通信ドアベルから、訪問者が前記無線Ａ／Ｖ記録及び通信ドアベルにおいて検出されたことを示す訪問者検出信号を受信するとき、前記バックエンドサーバからトーン信号を受信すること、
前記バックエンドサーバから前記トーン信号を受信したことに応答して、前記無線スピーカデバイスのスピーカからトーンを発すること、
のための命令セットを含む、前記非一時的機械可読媒体。
【請求項１３】
前記バックエンドサーバはまた、前記無線Ａ／Ｖ記録及び通信ドアベルが前記訪問者を検出するとき、前記無線Ａ／Ｖ記録及び通信ドアベルのカメラによって捕捉されたビデオ画像を受信し、クライアントデバイスに前記ビデオ画像を伝送する、請求項１２に記載の非一時的機械可読媒体。
【請求項１４】
前記クライアントデバイスは、スマートフォンである、請求項１３に記載の非一時的機械可読媒体。
【請求項１５】
前記無線Ａ／Ｖ記録及び通信ドアベルに前記無線信号を再ブロードキャストするための前記命令セットは、前記無線Ａ／Ｖ記録及び通信ドアベルが前記ルータから前記無線信号を直接受信する能力を有さないとき、前記無線Ａ／Ｖ記録及び通信ドアベルに前記無線信号を再ブロードキャストするための命令セットを含む、請求項１２に記載の非一時的機械可読媒体。
【請求項１６】
前記プログラムは更に、前記ＬＡＮとは独立して別の無線デバイスと無線で通信するための命令セットを含む、請求項１２に記載の非一時的機械可読媒体。
【請求項１７】
前記無線Ａ／Ｖ記録及び通信ドアベルは、ボタンを含む、請求項１２に記載の非一時的機械可読媒体。
【請求項１８】
前記訪問者検出信号は、前記ボタンが押下されたことに応答して受信される、請求項１７に記載の非一時的機械可読媒体。
【請求項１９】
前記無線Ａ／Ｖ記録及び通信ドアベルは、少なくとも１つの動き検出器を含む、請求項１２に記載の非一時的機械可読媒体。
【請求項２０】
前記訪問者検出信号は、前記少なくとも１つの動き検出器が前記無線Ａ／Ｖ記録及び通信ドアベルにおいて又はその近くで動きを検出したことに応答して受信される、請求項１９に記載の非一時的機械可読媒体。
【請求項２１】
前記無線信号は、第１の無線信号であり、前記無線Ａ／Ｖ記録及び通信ドアベルは、第１の無線デバイスであり、
前記プログラムは更に、前記ルータから、前記ＬＡＮに接続され、かつ前記ルータのブロードキャスト範囲内にない第２の無線デバイスに受信された第２の無線信号を再ブロードキャストするための命令セットを含む、請求項１２に記載の非一時的機械可読媒体。
【請求項２２】
前記無線Ａ／Ｖ記録及び通信ドアベルに前記無線信号を再ブロードキャストするための前記命令セットは、前記無線Ａ／Ｖ記録及び通信ドアベルが前記ルータのブロードキャスト範囲の外側にあるとき、前記無線Ａ／Ｖ記録及び通信ドアベルに前記無線信号を再ブロードキャストするための命令セットを含む、請求項１２に記載の非一時的機械可読媒体。
【請求項２３】
前記無線Ａ／Ｖ記録及び通信ドアベルに前記無線信号を再ブロードキャストするための前記命令セットは、前記無線Ａ／Ｖ記録及び通信ドアベルが前記ルータから前記無線信号を弱く受信するとき、前記無線Ａ／Ｖ記録及び通信ドアベルに前記無線信号を再ブロードキャストするための命令セットを含む、請求項１２に記載の非一時的機械可読媒体。
【発明の詳細な説明】
【技術分野】
【０００１】
関連出願の相互参照
本出願は、２０１３年７月１７日に出願された米国仮特許出願第６１／８４７，２７４号に対する優先権を主張する、２０１４年７月１７日に出願された国際特許出願第ＰＣＴ／ＵＳ２０１４／０４６９５２号の国内段階移行である、２０１６年１月１５日に出願された米国特許出願第１４／９０５，６５３号の一部継続出願である、２０１６年５月９日に出願された米国特許出願第１５／１５０，３８７号の一部継続出願である、２０１６年７月２２日に出願された米国非仮特許出願第１５／２１７，７４１号の国際特許出願である。２０１６年７月２２日に出願された米国非仮特許出願第１５／５１７，７４１号はまた、２０１３年７月１８日に出願された米国仮特許出願第６１／８４７，８１６号に対する優先権を主張する、２０１４年７月１８日に出願された米国特許出願第１４／３３４，９２２号の一部継続出願である。優先権主張出願の全体的な内容は、完全に示されるようにそれらの全体を参照することによって本明細書に組み込まれる。
【０００２】
本実施形態は、無線音声／ビデオ（Ａ／Ｖ）記録及び通信ドアベルシステムを含む無線Ａ／Ｖ記録及び通信デバイスに関する。
【背景技術】
【０００３】
住居の安全は、多くの住居の所有者及び賃借人にとっての関心事である。それらの住居を保護又は監視することを求める者は、訪問者、例えば、外部のドア又は通用門を訪問する者とのビデオ及び音声通信を有することを望むことが多い。ドアベルなどの音声／ビデオ（Ａ／Ｖ）記録及び通信デバイスは、この機能性を提供し、また、犯罪の検出及び防止に役立つことがある。例えば、Ａ／Ｖ記録及び通信デバイスによって捕捉された音声及び／又はビデオは、クラウドにアップロードされ、リモートサーバに記録されることがある。Ａ／Ｖ映像の後続の検証は、住居窃盗者及び他の犯罪の犯人を捕捉する際の法的措置に役立つことがある。更に、住居への入口におけるドアベルユニットなど、住居の外側上の１つ以上のＡ／Ｖ記録及び通信デバイスの存在は、窃盗志望者に対する強力な抑止力としての機能を果たす。
【発明の概要】
【０００４】
無線音声／ビデオ（Ａ／Ｖ）記録及び通信デバイスについての本無線スピーカデバイスの様々な実施形態は、いくつかの特徴を有し、それらの所望の属性に１つのみで関与する単一のものはない。以下の特許請求の範囲によって表されるように本実施形態の範囲を限定することなく、それらの更なる優れた特徴がここで簡潔に議論される。この議論を考慮した後、特に、「発明を実施するための形態」と題するセクションを読んだ後、本実施形態の特徴が本明細書で説明される利点をどのように提供するかを理解するであろう。
【０００５】
第１の態様では、無線音声／ビデオ（Ａ／Ｖ）記録及び通信デバイス、１つ以上のローカルエリアネットワーク（ＬＡＮ）デバイスを含むＬＡＮ、並びに１つ以上のワイドエリアネットワーク（ＷＡＮ）デバイスを含むＷＡＮと共に使用するように構成された無線スピーカデバイスが提供され、無線スピーカデバイスは、１つ以上のＬＡＮデバイスから無線信号を受信し、無線信号を再ブロードキャストするように構成された無線リピータを含む無線通信モジュールと、スピーカと、を含み、無線スピーカデバイスは、１つ以上のＬＡＮデバイスを介して、かつ無線スピーカデバイスの無線通信モジュールを介して、１つ以上のＷＡＮデバイスからトーン信号を受信するように構成され、トーン信号は、無線スピーカデバイスのスピーカからトーンを発するための、無線スピーカデバイスへのコマンドを含み、無線スピーカデバイスは、コマンドを含むトーン信号を受信したことに応答して、無線スピーカデバイスのスピーカからトーンを発するように構成される。
【０００６】
第１の態様の実施形態では、無線スピーカデバイスは更に、１つ以上のＷＡＮデバイスが、１つ以上のＬＡＮデバイスを介して、無線Ａ／Ｖ記録及び通信デバイスから訪問者検出信号を受信したことに応答して、１つ以上のＬＡＮデバイスを介して、かつ無線スピーカデバイスの無線通信モジュールを介して、１つ以上のＷＡＮデバイスからトーン信号を受信するように構成され、訪問者検出信号は、訪問者が無線Ａ／Ｖ記録及び通信デバイスにおいて検出されたことを示す。
【０００７】
第１の態様の別の実施形態では、無線Ａ／Ｖ記録及び通信デバイスは、ボタンを含む無線Ａ／Ｖ記録及び通信ドアベルを含み、訪問者検出信号は、ドアベルボタンが押下されたことを示すボタン押下信号を含む。
【０００８】
第１の態様の別の実施形態では、無線Ａ／Ｖ記録及び通信デバイスは更に、動き検出器を含み、訪問者検出信号は、動き検出器が無線Ａ／Ｖ記録及び通信デバイスにおいて動きを検出したことに応答して受信される。
【０００９】
第１の態様の別の実施形態では、１つ以上のＷＡＮデバイスは、１つ以上のサーバを含む。
【００１０】
第１の態様の別の実施形態では、１つ以上のＷＡＮデバイスは、１つ以上のネットワークサービスを含む。
【００１１】
第２の態様では、無線音声／ビデオ（Ａ／Ｖ）記録及び通信デバイス、スピーカ及び無線リピータを含む無線スピーカデバイス、１つ以上のローカルエリアネットワーク（ＬＡＮ）デバイスを含むＬＡＮ、並びに１つ以上のワイドエリアネットワーク（ＷＡＮ）デバイスを含むＷＡＮの間で通信する方法が提供され、方法は、無線リピータが、１つ以上のＬＡＮデバイスから無線信号を受信し、無線信号を再ブロードキャストすることと、１つ以上のＷＡＮデバイスが、１つ以上のＬＡＮデバイスを介して、無線Ａ／Ｖ記録及び通信デバイスから訪問者検出信号を受信することであって、訪問者検出信号は、訪問者が無線Ａ／Ｖ記録及び通信デバイスにおいて検出されたことを示す、受信することと、１つ以上のＷＡＮデバイスが、訪問者検出信号を受信したことに応答して、１つ以上のＬＡＮデバイスを介して、無線スピーカデバイスにトーン信号を伝送することであって、トーン信号は、無線スピーカデバイスのスピーカからトーンを発するための、無線スピーカデバイスへのコマンドを含む、伝送することと、を含む。
【００１２】
第２の態様の実施形態では、無線Ａ／Ｖ記録及び通信デバイスは、ボタンを含む無線Ａ／Ｖ記録及び通信ドアベルを含む。
【００１３】
第２の態様の別の実施形態では、訪問者検出信号は、ドアベルボタンが押下されたことを示すボタン押下信号を含む。
【００１４】
第２の態様の別の実施形態では、無線Ａ／Ｖ記録及び通信デバイスは更に、動き検出器を含む。
【００１５】
第２の態様の別の実施形態では、訪問者検出信号は、動き検出器が無線Ａ／Ｖ記録及び通信デバイスにおいて動きを検出したことに応答して受信される。
【００１６】
第２の態様の別の実施形態は、１つ以上のＷＡＮデバイスが、無線Ａ／Ｖ記録及び通信デバイスから第１の警告信号及び第１のビデオ信号を受信することを更に含み、第１のビデオ信号は、無線Ａ／Ｖ記録及び通信デバイスのカメラによって捕捉された画像を含む。
【００１７】
第２の態様の別の実施形態は、１つ以上のＷＡＮデバイスが、第１の警告信号及び第１のビデオ信号を受信したことに応答して、クライアントデバイスに第２の警告信号及び第２のビデオ信号を伝送することを更に含み、第２のビデオ信号は、無線Ａ／Ｖ記録及び通信デバイスのカメラによって捕捉された画像を含む。
【００１８】
第２の態様の別の実施形態では、クライアントデバイスは、スマートフォンである。
【００１９】
第２の態様の別の実施形態では、１つ以上のＷＡＮデバイスは、１つ以上のサーバを含む。
【００２０】
第２の態様の別の実施形態では、１つ以上のＷＡＮデバイスは、１つ以上のネットワークサービスを含む。
【００２１】
第３の態様では、無線音声／ビデオ（Ａ／Ｖ）記録及び通信デバイス、１つ以上のローカルエリアネットワーク（ＬＡＮ）デバイスを含むＬＡＮ、並びに１つ以上のワイドエリアネットワーク（ＷＡＮ）デバイスを含むＷＡＮと共に使用するように構成された無線スピーカデバイスが提供され、無線スピーカデバイスは、別の無線デバイスへの直接無線接続を介して、ＬＡＮとは独立して、別の無線デバイスに無線でデータを伝送し、及び／又は別の無線デバイスから無線でデータを受信するように構成された無線通信モジュールと、スピーカと、を含み、無線スピーカデバイスは、１つ以上のＬＡＮデバイスを介して、かつ無線スピーカデバイスの無線通信モジュールを介して、１つ以上のＷＡＮデバイスからトーン信号を受信するように構成され、トーン信号は、無線スピーカデバイスのスピーカからトーンを発するための、無線スピーカデバイスへのコマンドを含み、無線スピーカデバイスは、コマンドを含むトーン信号を受信したことに応答して、無線スピーカデバイスのスピーカからトーンを発するように構成される。
【００２２】
第３の態様の実施形態では、無線スピーカデバイスは更に、１つ以上のＷＡＮデバイスが、１つ以上のＬＡＮデバイスを介して、無線Ａ／Ｖ記録及び通信デバイスから訪問者検出信号を受信したことに応答して、１つ以上のＬＡＮデバイスを介して、かつ無線スピーカデバイスの無線通信モジュールを介して、１つ以上のＷＡＮデバイスからトーン信号を受信するように構成され、訪問者検出信号は、訪問者が無線Ａ／Ｖ記録及び通信デバイスにおいて検出されたことを示す。
【００２３】
第３の態様の別の実施形態では、無線Ａ／Ｖ記録及び通信デバイスは、ボタンを含む無線Ａ／Ｖ記録及び通信ドアベルを含み、訪問者検出信号は、ドアベルボタンが押下されたことを示すボタン押下信号を含む。
【００２４】
第３の態様の別の実施形態では、無線Ａ／Ｖ記録及び通信デバイスは更に、動き検出器を含み、訪問者検出信号は、動き検出器が無線Ａ／Ｖ記録及び通信デバイスにおいて動きを検出したことに応答して受信される。
【００２５】
第３の態様の別の実施形態では、１つ以上のＷＡＮデバイスは、１つ以上のサーバを含む。
【００２６】
第３の態様の別の実施形態では、１つ以上のＷＡＮデバイスは、１つ以上のネットワークサービスを含む。
【００２７】
第４の態様では、無線音声／ビデオ（Ａ／Ｖ）記録及び通信デバイス、スピーカ及び無線通信モジュールを含む無線スピーカデバイス、１つ以上のローカルエリアネットワーク（ＬＡＮ）デバイスを含むＬＡＮ、並びに１つ以上のワイドエリアネットワーク（ＷＡＮ）デバイスを含むＷＡＮの間で通信する方法が提供され、方法は、無線通信モジュールが、別の無線デバイスへの直接無線接続を介して、ＬＡＮとは独立して、別の無線デバイスに無線でデータを伝送し、及び／又は別の無線デバイスから無線でデータを受信することと、１つ以上のＷＡＮデバイスが、１つ以上のＬＡＮデバイスを介して、無線Ａ／Ｖ記録及び通信デバイスから訪問者検出信号を受信することであって、訪問者検出信号は、訪問者が無線Ａ／Ｖ記録及び通信デバイスにおいて検出されたことを示す、受信することと、１つ以上のＷＡＮデバイスが、訪問者検出信号を受信したことに応答して、１つ以上のＬＡＮデバイスを介して、無線スピーカデバイスにトーン信号を伝送することであって、トーン信号は、無線スピーカデバイスのスピーカからトーンを発するための、無線スピーカデバイスへのコマンドを含む、伝送することと、を含む。
【００２８】
第４の態様の実施形態では、無線Ａ／Ｖ記録及び通信デバイスは、ボタンを含む無線Ａ／Ｖ記録及び通信ドアベルを含む。
【００２９】
第４の態様の別の実施形態では、訪問者検出信号は、ドアベルボタンが押下されたことを示すボタン押下信号を含む。
【００３０】
第４の態様の別の実施形態では、無線Ａ／Ｖ記録及び通信デバイスは更に、動き検出器を含む。
【００３１】
第４の態様の別の実施形態では、訪問者検出信号は、動き検出器が無線Ａ／Ｖ記録及び通信デバイスにおいて動きを検出したことに応答して受信される。
【００３２】
第４の態様の別の実施形態は、１つ以上のＷＡＮデバイスが、無線Ａ／Ｖ記録及び通信デバイスから第１の警告信号及び第１のビデオ信号を受信することを更に含み、第１のビデオ信号は、無線Ａ／Ｖ記録及び通信デバイスのカメラによって捕捉された画像を含む。
【００３３】
第４の態様の別の実施形態は、１つ以上のＷＡＮデバイスが、第１の警告信号及び第１のビデオ信号を受信したことに応答して、クライアントデバイスに第２の警告信号及び第２のビデオ信号を伝送することを更に含み、第２のビデオ信号は、無線Ａ／Ｖ記録及び通信デバイスのカメラによって捕捉された画像を含む。
【００３４】
第４の態様の別の実施形態では、クライアントデバイスは、スマートフォンである。
【００３５】
第４の態様の別の実施形態では、１つ以上のＷＡＮデバイスは、１つ以上のサーバを含む。
【００３６】
第４の態様の別の実施形態では、１つ以上のＷＡＮデバイスは、１つ以上のネットワークサービスを含む。
【００３７】
無線音声／ビデオ（Ａ／Ｖ）記録及び通信デバイスについての本無線スピーカデバイスの様々な実施形態がここで、有利な特徴を強調して詳細に議論される。それらの実施形態は、例示のみを目的とする添付図面に示される、無線Ａ／Ｖ記録及び通信デバイスについての新規且つ非自明的な無線スピーカデバイスを記述する。それらの図面は、以下の図面を含み、そこでは、同一の参照符号が同一の部分を示す。
【図面の簡単な説明】
【００３８】
【図１】本開示の態様に従った、ＵＳＢドアベルドングルの実施形態を含むシステムを例示する機能ブロック図である。
【図２】本開示の態様に従った、ＵＳＢドアベルドングルの実施形態の断面図である。
【図３】本開示の態様に従った、ＵＳＢドアベルドングルの実施形態の前面斜視図である。
【図４Ａ】本開示の態様に従った、図３のＵＳＢドアベルドングル及びコンピュータの前面斜視図である。
【図４Ｂ】本開示の態様に従った、図３のＵＳＢドアベルドングル及びＵＳＢアダプタの前面斜視図である。
【図５】本開示の態様に従った、ＵＳＢドアベルドングルの実施形態を含むシステムを例示する機能ブロック図である。
【図６】本開示の態様に従った、ＵＳＢドアベルドングルの実施形態に関連する処理フローチャートである。
【図７】本開示の態様に従った、無線スピーカデバイスを含むシステムを例示する機能ブロック図である。
【図８】本開示の態様に従った、無線スピーカデバイスの実施形態に関連する処理フローチャートである。
【図９】本実施形態に従った、無線Ａ／Ｖ記録及び通信ドアベルによって捕捉されたＡ／Ｖコンテンツをストリーミング及び記憶したシステムを例示する機能ブロック図である。
【図１０】本開示の態様に従った、無線Ａ／Ｖ記録及び通信ドアベルの正面図である。
【図１１】図１０の無線Ａ／Ｖ記録及び通信ドアベルの背面図である。
【図１２】本開示の態様に従った、取り付けブラケットに取り付けられた図１０の無線Ａ／Ｖ記録及び通信ドアベルの左側面図である。
【図１３】図１０の無線Ａ／Ｖ記録及び通信ドアベルの右側断面図である。
【図１４】図１２の無線Ａ／Ｖ記録及び通信ドアベル並びに取り付けブラケットの分解図である。
【図１５】図１２の取り付けブラケットの背面図である。
【図１６Ａ】図１２の無線Ａ／Ｖ記録及び通信ドアベル並びに取り付けブラケットの上面図及び底面図である。
【図１６Ｂ】図１２の無線Ａ／Ｖ記録及び通信ドアベル並びに取り付けブラケットの上面図及び底面図である。
【図１７Ａ】図１０の無線Ａ／Ｖ記録及び通信ドアベルのパッシブ赤外線センサホルダの上面図及び底面図である。
【図１７Ｂ】図１０の無線Ａ／Ｖ記録及び通信ドアベルのパッシブ赤外線センサホルダの上面図及び底面図である。
【図１８Ａ】図１０の無線Ａ／Ｖ記録及び通信ドアベルのパッシブ赤外線センサホルダアセンブリの上面図及び底面図である。
【図１８Ｂ】図１０の無線Ａ／Ｖ記録及び通信ドアベルのパッシブ赤外線センサホルダアセンブリの上面図及び底面図である。
【図１９】本開示の態様に従った、図１６Ａのパッシブ赤外線センサアセンブリ及びその視野の上面図である。
【図２０】図１０の無線Ａ／Ｖ記録及び通信ドアベルの構成要素の機能ブロック図である。
【図２１】本開示の態様に従った、無線Ａ／Ｖ記録及び通信ドアベルについての処理を例示するフローチャートである。
【図２２】本開示の態様に従った、無線Ａ／Ｖ記録及び通信ドアベルについての別の処理を例示するフローチャートである。
【図２３】本開示の態様に従った、無線Ａ／Ｖ記録及び通信ドアベルについての別の処理を例示するフローチャートである。
【図２４】本実施形態に従った、無線Ａ／Ｖ記録及び通信デバイスについての無線スピーカデバイスを含む無線Ａ／Ｖ記録及び通信ドアベルシステムを例示する機能ブロック図である。
【図２５】本実施形態に従った、無線Ａ／Ｖ記録及び通信デバイスについての無線スピーカデバイスの前面斜視図である。
【図２６】図２５の無線スピーカデバイスの後面斜視図である。
【図２７】図２３及び２４の無線スピーカデバイスの機能ブロック図である。
【図２８】本実施形態に従った、無線Ａ／Ｖ記録及び通信デバイス、ローカルエリアネットワーク、ワイドエリアネットワーク、並びに無線スピーカデバイスの間で通信するシステムを例示する機能ブロック図である。
【図２９】無線Ａ／Ｖ記録及び通信デバイス、ローカルエリアネットワーク、ワイドエリアネットワーク、並びに無線スピーカデバイスを含むシステムにおいて訪問者−告示トーンを生成する処理の一実施形態を例示するシーケンス図である。
【図３０】本開示に従った、無線Ａ／Ｖ記録及び通信デバイスについての無線スピーカデバイスの別の実施形態の前面斜視図である。
【図３１】図３０の無線スピーカデバイスの後面斜視図である。
【図３２】図３０及び３１の無線スピーカデバイスの機能ブロック図である。
【図３３】本実施形態に従った、無線Ａ／Ｖ記録及び通信デバイスについての無線スピーカデバイスを含むシステムを例示する機能ブロック図である。
【図３４】本開示に従った、無線ネットワークに本無線スピーカデバイスを接続し、本無線スピーカデバイスに１つ以上の無線デバイスを接続する処理の実施形態を例示する機能ブロック図である。
【図３５】本開示に従った、無線ネットワークに本無線スピーカデバイスを接続し、本無線スピーカデバイスに１つ以上の無線デバイスを接続する処理の実施形態を例示する機能ブロック図である。
【図３６】本開示に従った、無線ネットワークに本無線スピーカデバイスを接続し、本無線スピーカデバイスに１つ以上の無線デバイスを接続する処理の実施形態を例示する機能ブロック図である。
【図３７】本開示に従った、無線ネットワークに本無線スピーカデバイスを接続し、本無線スピーカデバイスに１つ以上の無線デバイスを接続する処理の実施形態を例示する機能ブロック図である。
【図３８】本開示に従った、本無線スピーカデバイスに１つ以上の無線デバイスを接続する処理の実施形態を例示する機能ブロック図である。
【図３９】本開示に従った、本無線スピーカデバイスに１つ以上の無線デバイスを接続する処理の実施形態を例示する機能ブロック図である。
【図４０】本開示に従った、本無線スピーカデバイスに１つ以上の無線デバイスを接続する処理の実施形態を例示する機能ブロック図である。
【図４１】本開示の様々な態様に従って本実施形態を実施することができるクライアントデバイスの機能ブロック図である。
【図４２】本開示の様々な態様に従って本実施形態を実施することができる汎用コンピューティングシステムの機能ブロック図である。
【発明を実施するための形態】
【００３９】
以下の詳細な説明は、図面を参照して本実施形態を説明する。図面では、参照符号が本実施形態の要素をラベル付けする。それらの参照符号は、対応する図面の特徴の議論と関連して以下で再現される。
【００４０】
無線音声／ビデオ記録及び通信ドアベルを含む、無線Ａ／Ｖ記録及び通信デバイスについての本無線スピーカデバイスの実施形態は、図面を参照して以下で説明される。それらの図面及びそれらの記述される説明は、装置の特定の構成要素が統合して形成され、特定の他の構成要素が別個の部品として形成されることを示す。当業者は、統合して形成されるものとして本明細書で示され及び説明される構成要素が、代替的な実施形態では、別個の部品として形成されてもよいことを認識するであろう。当業者は更に、別個の部品として形成されるものとして本明細書で示され及び説明される構成要素が、代替的な実施形態では、統合して形成されてもよいことを認識するであろう。更に、本明細書で使用されるように、統合という用語は、単一の単位の部品を記述する。
【００４１】
図１は、本開示の態様に従った、ＵＳＢ（ユニバーサルシリアルバス）ドアベルドングル１３の実施形態を含むシステムを例示する機能ブロック図である。ＵＳＢドアベルドングル１３は、ＵＳＢポートに適合するように設計された電子ハードウェアデバイスであってもよい。図１に示されるように、ＵＳＢドアベルドングル１３は、マイクロコントローラ４、フラッシュメモリ６、スピーカ１、ＬＥＤライト７、及び通信モジュール８を含む。ＵＳＢドアベルドングル１３の内部の各々の構成要素は、個々の機能を実行し、個々の機能は次いで、システム全体の効率的な働きに貢献する。ＵＳＢドアベルドングル１３は、ドアベル１２と直接又は間接的に通信してもよい。ドアベル１２は、無線データ伝送の能力を有するドアベルであってもよい。ドアベル１２は、マイクロフォン、スピーカ、カメラ、及び／又はボタンを備えてもよい。ドアベル１２は、インターホンシステムとしての機能を果たしてもよく、インターホンシステムは次いで、ＵＳＢドアベルドングル１３及び／又はスマートデバイス１８にデジタル音声及び／又はビデオを中継し、ユーザ及び訪問者が相互にリモートに通信することを可能にする。
【００４２】
スマートデバイス１８は、インターネットを介してデータを受信及び伝送する能力を有し、音声及びビデオ通信を伝送及び受信する能力を有し、或る程度自律的に動作することができる任意の電子デバイスであってもよい。スマートデバイス１８の例は、スマートフォン、タブレット、ラップトップ、コンピュータ、及びＶＯＩＰ電話システムを含むが、それらに限定されない。１つの非限定的な態様では、スマートデバイス１８は、ドアベル１２がＵＳＢドアベルドングル１３に接続する前の、ドアベル１２における訪問者（図示せず）とユーザ（図示せず）との間の内部接点であってもよい。この態様では、ユーザがスマートデバイス１８を介してドアベル１２に接続することができない場合、サーバ１７によって経路指定されたデータは、ＵＳＢドアベルドングル１３に案内されてもよい。
【００４３】
１つの態様では、ＵＳＢドアベルドングル１３、スマートデバイス１８、及びドアベル１２は、Ｗｉ−Ｆｉを介して通信する。この態様では、通信モジュール８は、ＧａｉｎｓｐａｎによるＧＳ２０１１Ｍモジュールなど、市販の構成要素であってもよく、又はそれは、マイクロコントローラ及びシリアルホストインタフェースによりデバイスに低電力、高速Ｗｉ−Ｆｉ、及びインターネット接続性を追加する別のモジュールであってもよい。更に、図１を参照すると、通信モジュール８は、ネットワーク１６を介してサーバ１７に、サウンド及びＵＳＢドアベルドングル１３に関連する識別情報などのデータを含むアウトバウンドデータ呼び出しを送信してもよい。ネットワーク１６は、コンピュータが物理的又は仮想的のいずれかでデータを交換することを可能にする電気通信ネットワークであってもよい。サーバ１７は、送信された識別情報を使用してどのＵＳＢドアベルドングル１３がドアベル１２と関連付けられるかを判定し、サーバ１７を通じてＵＳＢドアベルドングル１３に、伝送された信号を経路指定する。サーバ１７は、経路指定などのネットワークサービスを提供し、又は提供することを支援するために、コンピュータネットワークにわたって要求に応答するシステムであってもよい。ドアベル１２は、ＵＳＢドアベルドングル１３と通信するために、通信モジュール８を介してネットワーク１６に接続してもよい。
【００４４】
Ｂｌｕｅｔｏｏｔｈ（登録商標）又はＺｉｇＢｅｅ（登録商標）（ＩＥＥＥ８０２．１５．４）などの他のデータ伝送プロトコルは、モバイルデバイス又は無線データ伝送を受信する能力を有する任意の他のデバイスにデータを伝送するために、通信モジュール８に組み込まれてもよい。この態様では、データは、ドアベル１２へのＵＳＢドアベルドングル１３の近接性に応じて、通信モジュール８を介してＢｌｕｅｔｏｏｔｈ（登録商標）プロトコルを通じて、マイクロコントローラ４に直接伝送されてもよい。
【００４５】
無線接続が行われると、マイクロコントローラ４は、ドアベル１２からＵＳＢドアベルドングル１３に配信されたデータを処理することができる。マイクロコントローラ４は、デバイスに入り、デバイスから出るコマンドを取り扱い及び分配し、適切な構成要素にそれらを経路指定するＵＳＢドアベルドングル１３に組み込まれた内蔵処理システムであってもよい。ドアベル１２のボタンが訪問者によって押下される場合、マイクロコントローラ４は、ＵＳＢドアベルドングル１３を介してユーザに、ＬＥＤライト７を活性化すること、及び／又はスピーカ１を通じて音声着信音を発することなどの通知信号を伝送してもよい。ＵＳＢドアベルドングル１３は、１つ以上の入力ボタン３を備えてもよい。ユーザによって押下されるとき、入力ボタン３は、ユーザが音声伝送を通じて訪問者と通信することを可能にするようにマイクロフォン９を活性化してもよい。
【００４６】
図１を更に参照すると、ＵＳＢコネクタ５は、コンピュータ１０（図４Ａ）及び／又はＵＳＢウォールアダプタ１１（図４Ｂ）からデータ及び／又は電流を伝送してもよい。電流は、電力レギュレータ２に伝送され、電力レギュレータ２は次いで、ＵＳＢドアベルドングル１３内の全ての構成要素に電力を分配する。ＵＳＢコネクタ５を介してコンピュータ１０から伝送された任意のデータは、フラッシュメモリ６に記憶されてもよい。本開示の１つの態様では、ユーザは、ドアベル１２のボタンが押下されるときに発することができる音声着信音をフラッシュメモリ６に記憶してもよい。
【００４７】
図２は、本開示の態様に従った、ＵＳＢドアベルドングル１３の断面図を示す。ＵＳＢドアベルドングル１３は、スピーカ１、電力レギュレータ２、入力ボタン３、マイクロコントローラ４、ＵＳＢコネクタ５、ＬＥＤライト７、通信モジュール８、及びマイクロフォン９と連動するフラッシュメモリ６を含んでもよい。ＵＳＢドアベルドングル１３の内部に組み込まれたフラッシュメモリ６は、１つのデバイスからコンピュータ１０などの別のデバイスにユーザのデータを記憶又は転送するために使用されてもよい。フラッシュメモリ６はまた、ユーザがドアベル１２についての音声通知として選択することができる潜在的な着信音を記憶するために使用されてもよい。通信モジュール８は、Ｂｌｕｅｔｏｏｔｈ（登録商標）及び／又はＷｉ−Ｆｉ（登録商標）能力を含んでもよく、任意の所与の時に利用可能な無線接続に応じてドアベル１２に接続してもよい。本開示の１つの態様では、ＵＳＢドアベルドングル１３は、ネットワーク１６内で利用可能な近隣デバイス（複数可）に、利用可能なＷｉ−Ｆｉ（登録商標）信号を拡張する能力を有することができる。この態様では、ＵＳＢドアベルドングル１３は、ネットワーク１６から伝送された無線信号を受信し、無線信号を増幅し、次いで、ユーザの位置又は設備全体を通じて増大した信号を伝送する能力を有する構成要素（例えば、Ｗｉ−Ｆｉ（登録商標）ルータにおいて見出される）を含んでもよい。ＵＳＢドアベルドングル１３は、電力がデバイスに対して利用可能でないときに動作を可能にするバッテリ（図示せず）を含んでもよい。
【００４８】
図３は、本開示の態様に従った、ＵＳＢドアベルドングル１３の前面斜視図である。ＵＳＢドアベルドングル１３の上面は、音声がスピーカ１から発することを可能にする穿孔パターンを特徴付けることができる。ＬＥＤライト７が光を発することを可能にする開口部は、ＵＳＢドアベルドングル１３の前向き面上に位置してもよい。ＵＳＢドアベルドングル１３内に取り付けられたＬＥＤライト７は、ドアベル１２から伝送された信号に応じて継続的にターンオン及びターンオフし、又は点滅してもよい。ＬＥＤライト７はまた、ＵＳＢドアベルドングル１３がコンピュータ１０又はＵＳＢウォールアダプタ１１に差し込まれる場合に照らされてもよい。この態様では、ＬＥＤライト７の照明は、充電又はデータ転送を示してもよく、ユーザがコンピュータ１０又はＵＳＢウォールアダプタ１１からＵＳＢドアベルドングル１３を抜くとターンオフしてもよい。
【００４９】
入力ボタン３は、ＵＳＢドアベルドングル１３の前向き面上に位置付けられてもよい。ＵＳＢドアベルドングル１３がドアベル１２から信号を受信すると、マイクロコントローラ４は、スピーカ１から音声を発し、及び／又はＬＥＤライト７を照らすことによって、ユーザに通知するようにトリガされてもよい。ユーザは、ＵＳＢドアベルドングル１３からドアベル１２にデジタル音声を伝送するために、マイクロフォン９を活性化するように入力ボタン３を押下してもよい。
【００５０】
図４Ａは、本開示の態様に従った、ＵＳＢドアベルドングル１３及びコンピュータ１０の前面斜視図である。ＵＳＢドアベルドングル１３は、ＵＳＢドアベルドングル１３をコンピュータ１０のＵＳＢポートに差し込むことができるので、コンピュータ１０から電力を抽出することができる。ＵＳＢドアベルドングル１３をコンピュータ１０に挿入することができるので、ユーザはまた、コンピュータ１０からデータを抽出することができ、ＵＳＢドアベルドングル１３に組み込まれたフラッシュメモリ６にデータを記憶することができ、並びに／又はユーザは、コンピュータ１０とＵＳＢドアベルドングル１３との間で後方及び前方にデータを転送することが可能であってもよい。
【００５１】
図４Ｂは、本開示の態様に従った、ＵＳＢドアベルドングル１３及びＵＳＢウォールアダプタ１１の前面斜視図である。ＵＳＢドアベルドングル１３は、ＵＳＢウォールアダプタ１１から電力を抽出するために、ＵＳＢウォールアダプタ１１のＵＳＢポートに差し込まれてもよく、ＵＳＢウォールアダプタ１１は、ウォールコンセントに差し込まれてもよい。ＵＳＢドアベルドングル１３は、ＵＳＢポートを供給し、また、ＵＳＢドアベルドングル１３に電力を提供する任意のデバイスに挿入されてもよい。
【００５２】
図５は、Ｗｉ−Ｆｉ（登録商標）ドアベル１２と通信するＵＳＢドアベルドングル１３を含むシステムを例示する機能ブロック図である。本開示の１つの態様では、通知コマンドがＷｉ−Ｆｉ又はＢｌｕｅｔｏｏｔｈ（登録商標）を通じてドアベル１２からＵＳＢドアベルドングル１３に伝送されるとき、ユーザは、ＵＳＢドアベルドングル１３に組み込まれたマイクロフォン９を通じて訪問者に話しかける能力を有することができる。
【００５３】
１つの態様では、ＵＳＢドアベルドングル１３は、Ｗｉ−Ｆｉ（登録商標）を介してドアベル１２と通信してもよい。通信モジュール８は、ネットワーク１６内に位置するサーバ１７に、サウンド及びＵＳＢドアベルドングル１３に関連する識別情報などのデータを含むアウトバウンドデータ呼び出しを送信してもよい。サーバ１７は次いで、ドアベル１２から配信された識別情報を使用して、どのＵＳＢドアベルドングル１３がドアベル１２と関連付けられるかを判定してもよく、ネットワーク１６を通じてＵＳＢドアベルドングル１３に、伝送された信号を経路指定してもよい。上記言及されたように、接続はまた、ドアベル１２へのその近接性に応じて、ＵＳＢドアベルドングル１３の通信モジュール８に組み込まれたＢｌｕｅｔｏｏｔｈ（登録商標）モジュールを介して、Ｂｌｕｅｔｏｏｔｈ（登録商標）プロトコルを通じて伝送してもよい。
【００５４】
図６は、本開示の態様に従った、ＵＳＢドアベルドングル１３と関連付けられた例示的な使用及び機能を例示する処理フローチャートである。訪問者は、ブロックＢ３０において、ドアベル１２上に位置するボタンを押下してもよい。ブロックＢ３２において、ドアベル１２は、ネットワーク１６に、ビデオ、音声、及びドアベル１２に関連付けられた識別情報などのデータを伝送する。サーバ１７は、どのスマートデバイス１８、ウェブベースアプリケーション、ＵＳＢドアベルドングル１３、及び／又は他のデバイスをドアベル１２と関連付けられることができるかを識別する。サーバ１７は、各々のデバイスの機能に基づいて適切なデバイスに、音声及び／又はビデオデータなどの適切なデータを経路指定してもよい。ユーザは最初に、スマートデバイス１８又はドアベル１２と関連付けられた別のデバイス上で通知を受信してもよい。要求が承認される場合（ブロックＢ３２においてＹｅｓ）、ユーザ及び訪問者は、ブロックＢ３４において、ドアベル１２に及びドアベル１２から送信された音声及びビデオ伝送を介して通信してもよい。伝送は次いで、ユーザが切断又はハングアップすると、ブロックＢ３６において終端されてもよい。
【００５５】
スマートデバイス１８との接続を行うことができない場合（ブロックＢ３２においてＮｏ）、サーバ１７は、ブロックＢ３８において、音声チャイムを発するためにＵＳＢドアベルドングル１３にデータを経路指定する。それに限定されないが、不良なネットワーク接続、スマートデバイス１８がネットワークに接続されていないこと、及び／又はスマートデバイス１８が電力をオフにされていることなどの理由は、ユーザに音声チャイムを発するようにＵＳＢドアベルドングル１３をトリガすることがある。
【００５６】
ユーザがＵＳＢドアベルドングル１３の前にあり、要求に応える能力を有する場合（ブロックＢ４０においてＹｅｓ）、ユーザは、ブロックＢ４２において、ＵＳＢドアベルドングル１３上に位置する入力ボタン３を押下してもよい。ブロックＢ４２においてＵＳＢドアベルドングル１３上に位置する入力ボタン３を押下することは、ネットワーク１６を介したドアベル１２とＵＳＢドアベルドングル１３との間の接続を生じさせる。ユーザ及び訪問者は、ブロックＢ４４において、ドアベル１２及びＵＳＢドアベルドングル１３に、並びにドアベル１２及びＵＳＢドアベルドングル１３から送信された音声伝送を介して通信してもよい。伝送は次いで、ユーザが入力ボタン３を押下することによって切断するとき、ブロックＢ３６において終端されてもよい。
【００５７】
ユーザがＵＳＢドアベルドングル１３の前になく、又はＵＳＢドアベルドングル１３がネットワーク１６から切断され、若しくは電力をオフにされているかのいずれかの場合（ブロックＢ４０においてＮｏ）、伝送は次いで、ブロックＢ３６において終端されてもよい。図６に関して上記説明されたステップは、上記説明されたのとは異なる順序で行われてもよい。例えば、サーバ１７は、スマートデバイス１８にデータを経路指定する前に、ＵＳＢドアベルドングル１３にデータを経路指定してもよい。
【００５８】
図７は、本開示の態様に従った、無線スピーカデバイスを含むシステムを例示する機能ブロック図である。Ｗｉ−Ｆｉ（登録商標）は、本開示の態様に従った無線データ交換の１つの方法である。図７のシステム内のデバイスは、ユーザのネットワーク６５に接続してもよい。ユーザのネットワーク６５は、無線ネットワーク内で発声及びデータエンドポイントを接続するローカルエリアネットワーク（ＬＡＮ）、インターネットエリアネットワーク（ＩＡＮ）、又はワイドエリアネットワーク（ＷＡＮ）であってもよい。システム内の１つのデバイスは、ユーザのネットワーク６５に接続されると（３Ｇ、４Ｇ、ＬＴＥなどを備えていない限り）、デバイスは次いで、システムネットワーク５２にデータを送信することによって通信してもよい。システムネットワーク５２は、Ｗｉ−Ｆｉ（登録商標）対応デバイスへの及びＷｉ−Ｆｉ（登録商標）対応デバイスからのデータの転送を可能にする無線電気通信ネットワークである。サーバ５３は、システムネットワーク５２に組み込まれてもよく、又はシステムネットワーク５２に結合されてもよい。サーバ５３は、命令及びユーザ優先度に従ってデータを経路指定することなどのネットワークサービスを提供し、又はネットワークサービスを提供することを支援するために、コンピュータネットワークにわたって要求に応答するシステムである。システム内のデバイスは、システムネットワーク５２にデータを送信し、システムネットワーク５２では、サーバ５３がデータを処理し、適切なデバイスにデータを経路指定する。例えば、識別情報、デジタル音声、処理された視覚、及び／又はデバイス診断など、無線通信ドアベル６１からのデータは、システムネットワーク５２に送信されてもよい。サーバ５３は、無線通信ドアベル６１から送信されたデータを処理し、それに従ってシステム内の他のデバイスにそれを経路指定する。例えば、サーバ５３は、無線通信ドアベル６１から送信された診断データを処理してもよく、サーバ５３は、無線通信ドアベル６１のバッテリが切れかかっている場合（例えば、残っているバッテリが１０％）、スマートデバイス５４を介してユーザに通知するために診断データを経路指定する。
【００５９】
本開示の１つの態様では、図７において説明されるシステム内で通信する全てのデバイスは、Ｂｌｕｅｔｏｏｔｈ（登録商標）などの他の無線通信プロトコルを使用してもよい。Ｂｌｕｅｔｏｏｔｈ（登録商標）は、相互に近接近したデバイスの間で短距離にわたってデータを交換するための無線技術標準である。Ｂｌｕｅｔｏｏｔｈ（登録商標）無線伝送は、近接近していることを理由にシステムネットワーク５２又はサーバ５３の使用を必要とせず、識別情報、デジタル音声、処理された視覚、及び／又はデバイス診断などのデータを転送する能力を維持する。
【００６０】
本開示の１つの方法及びシステムでは、無線通信ドアベル６１内の全てのハードウェア構成要素は、無線通信ドアベル６１のボタン５５が訪問者によって押下されるまで、ハイバネーションの状態にあってもよい。この態様では、通信モジュール及び／又はカメラなど、バッテリから電力を引き出す全ての構成要素は、使用中でないときはバッテリ電力を消耗しない。ボタン５５が押下されるとき、それは、全ての構成要素を活性化してもよく、スマートデバイス５４へのデータのストリーミングが中断するとき、全ての構成要素は、ハイバネーションモードに戻ってもよい。
【００６１】
本開示の１つの態様では、バッテリ寿命及びインターネット接続性など、無線通信ドアベル６１と関連付けられた診断データは、通信モジュールがハイバネーションモードから起動するときにシステムネットワーク５２に中継されてもよい。無線通信ドアベル６１によって提供された診断データにより、サーバ５３は、スマートデバイス５４に通知を送信してもよく、バッテリを充電すること、又は無線通信ドアベル６１へのインターネットの接続性をリセットすることをユーザに通知する。
【００６２】
図７に示され、図８に関して以下で更に詳細に説明されるように、無線通信ドアベル６１は、第三者ハードウェア５８及び／又は第三者ドアベルチャイム５９と通信してもよい。第三者ドアベルチャイム５９は、無線通信ドアベル６１のボタン５５が押下されるとき、ユーザに、他の機能の中で音声チャイム又はメッセージを発することができるスタンドアロン製品又は構成要素であってもよい。無線通信ドアベル６１は、第三者ドアベルチャイム５９と関連付けられた伝送能力に応じて、第三者ドアベルチャイム５９と直接又は間接的に通信してもよい。１つの態様では、通信モジュールと組み込まれる場合、第三者ドアベルチャイム５９は、システムネットワーク５２を介して無線通信ドアベル６１と通信してもよい。この態様では、第三者ドアベルチャイム５９は、無線通信ドアベル６１とともに、ユーザのネットワーク６５に接続されてもよい。本開示の１つの態様では、第三者ドアベルチャイム５９は、通信モジュール（例えば、Ｗｉ−Ｆｉ若しくはＢｌｕｅｔｏｏｔｈ（登録商標））８、スピーカ１、及び／又はマイクロフォン９を含むＵＳＢドングル１３（図１）の形式をとってもよい。この態様では、ＵＳＢドングル１３は、コンピュータ１０（図４Ａ）又はＵＳＢアダプタ１１（図４Ｂ）に差し込まれることによって電力を引き出してもよい。Ｗｉ−Ｆｉ（登録商標）を通じて接続される場合、デジタル音声及び／又は識別情報など、無線通信ドアベル６１から送信されたデータは、システムネットワーク５２を通じてＵＳＢドングル１３に経路指定されてもよい。Ｂｌｕｅｔｏｏｔｈ（登録商標）プロトコルを使用して接続される場合、無線通信ドアベル６１は、ＵＳＢドングル１３に直接、デジタル音声などのデータを配信してもよい。ＵＳＢドングル１３は、ＵＳＢドングル１３内に設置されたＬＥＤライト７（図１）及び／又はスピーカ１から引き出された視覚及び／又は音声キューを使用して、ドアにおける或るユーザを警告してもよい。ユーザは次いで、ＵＳＢドングル１３上に設置されたマイクロフォン９を通じて訪問者と通信することが可能であってもよい。本開示の１つの態様では、ＵＳＢドングル１３は、ユーザのネットワーク６５により多くのアクセス又はより良好なアクセスを提供するためのＷｉ−Ｆｉ（登録商標）エキステンダ、リピータ、又はブースタとしての機能を果たしてもよい。この態様では、ＵＳＢドングル１３は、ユーザのネットワーク６５から伝送された無線信号を受信し、無線信号を増幅し、次いで、ユーザの位置又は設備全体を通じて増大した信号を伝送する能力を有する構成要素を含んでもよい。
【００６３】
図８は、本開示の態様に従った、無線スピーカデバイスの実施形態に関連する処理フローチャートである。この態様では、第三者ドアベルチャイム５９（図７）は、通信モジュール、入力ボタン、スピーカ、及びマイクロフォンを含んでもよい。訪問者は、ブロックＢ７０において、無線通信ドアベル６１の前面上に位置するボタン５５を押下し、システムネットワーク５２に無線でデータを伝送するように無線通信ドアベル６１をトリガしてもよい。
【００６４】
ブロックＢ７２において、無線通信ドアベル６１は、システムネットワーク５２に、音声、ビデオ、及び／又は無線通信ドアベル６１に関連付けられた識別情報などのデータを伝送する。サーバ５３は、どのスマートデバイス５４、ウェブベースアプリケーション、第三者ドアベルチャイム５９、及び／又は他のデバイスを無線通信ドアベル６１と関連付けることができるかを識別する。サーバ５３は、各々のデバイスの機能に基づいて、適用可能なデバイスに、音声又はビデオデータなどの適切なデータを経路指定してもよい。ユーザは、スマートデバイス５４又は無線通信ドアベル６１と関連付けられた別のデバイス上で、承認／拒否プロンプトを受信してもよい。要求が承認される場合（ブロックＢ７２においてＹｅｓ）、ユーザ及び訪問者は、ブロックＢ７４において、無線通信ドアベル６１に及び無線通信ドアベル６１から送信された音声及びビデオ伝送を介して通信してもよい。伝送は次いで、ユーザが切断又はハングアップすると、ブロックＢ７６において終端されてもよい。
【００６５】
スマートデバイス５４との接続を行うことができない場合（ブロックＢ７２においてＮｏ）、サーバ５３は、ブロックＢ７８において、音声チャイムを発するために第三者ドアベルドングル５９にデータを経路指定する。それに限定されないが、不良な無線ネットワーク接続、スマートデバイス５４がユーザのネットワーク６５に接続されていないこと、スマートデバイス５４が電力をオフにされていること、又は承認／拒否プロンプトが棄却若しくは無視されていることなどの理由は、ユーザに音声トーンを発するように第三者ドアベルチャイム５９をトリガすることがある。
【００６６】
ユーザが第三者ドアベルチャイム５９の前にあり、要求に応える能力を有する場合（ブロックＢ８０においてＹｅｓ）、ユーザは、ブロックＢ８２において、第三者ドアベルチャイム５９上に位置する入力ボタンを押下してもよい。第三者ドアベルチャイム５９上に位置する入力ボタンを押下することは、システムネットワーク５２を介した無線通信ドアベル６１と第三者ドアベルチャイム５９との間の接続を生じさせる。ユーザ及び訪問者は、ブロックＢ８２において、無線通信ドアベル６１と第三者ドアベルチャイム５９との間で送信された音声伝送を介して通信してもよい。伝送は次いで、ユーザが入力ボタンを押下することによって切断するとき、ブロックＢ７６において終端されてもよい。
【００６７】
ユーザが第三者ドアベルチャイム５９の前になく、又は第三者ドアベルチャイム５９がユーザのネットワーク６５から切断され、若しくは電力をオフにされているかのいずれかの場合（ブロックＢ８０においてＮｏ）、伝送は次いで、ブロックＢ８４において終端されてもよい。図８に関して上記説明されたステップは、上記説明されたのとは異なる順序で行われてもよい。例えば、サーバ５３は、スマートデバイス５４にデータを経路指定する前に、第三者ドアベルチャイム５９にデータを経路指定してもよい。
【００６８】
図９を参照すると、本実施形態は、ドアベル１００などの音声／ビデオ（Ａ／Ｖ）記録及び通信デバイスを含む。本開示がＡ／Ｖ記録及び通信ドアベルを含む方法及びシステムの多数の例を提供するが、本実施形態は、ドアベル以外のＡ／Ｖ記録及び通信デバイスに対して等しく適用可能である。例えば、本実施形態は、１つ以上のＡ／Ｖ記録及び通信ドアベルに代えて、又はそれに加えて、１つ以上のＡ／Ｖ記録及び通信セキュリティカメラを含んでもよい。例示的なＡ／Ｖ記録及び通信セキュリティカメラは、前方ボタン及び関連する構成要素を有さないが、本明細書で説明されるドアベルの構造及び機能性の全てを実質的に含んでもよい。
【００６９】
無線Ａ／Ｖ記録及び通信ドアベル１００は典型的には、住居設備、ビジネス、保管設備など、構造（図示せず）への入口の近くに位置する。無線Ａ／Ｖ記録及び通信ドアベル１００は、カメラ１０２、マイクロフォン１０４、及びスピーカ１０６を含む。カメラ１０２は、例えば、７２０ｐ又はそれよりも良好な画像表示解像度においてビデオ画像を捕捉する能力を有するものなど、高解像度（ＨＤ）ビデオカメラを含んでもよい。図示されないが、無線Ａ／Ｖ記録及び通信ドアベル１００はまた、筐体、１つ以上の動きセンサ（及び／又は、他のタイプのセンサ）、ボタンなど、他のハードウェア及び／又は構成要素を含んでもよい。無線Ａ／Ｖ記録及び通信ドアベル１００は更に、その両方が完全に示されるようにそれらの全体を参照することによって以下に組み込まれる、米国特許出願公開第２０１５／００２２６２０号（出願番号第１４／４９９，８２８号）及び第２０１５／００２２６１８号（出願番号第１４／３３４，９２２号）において説明された無線通信ドアベルと同様の構成部品及び／又は機能性を含んでもよい。
【００７０】
図９を更に参照すると、無線Ａ／Ｖ記録及び通信ドアベル１００は、ユーザの無線ネットワーク１１０と通信し、ユーザの無線ネットワーク１１０は、例えば、ＩＥＥＥ８０２．１１標準及び／又は他の無線通信標準（複数可）と互換性を有するＷｉ−Ｆｉネットワークなどのローカルエリアネットワーク（ＬＡＮ）であってもよい。ユーザの無線ネットワーク１１０は、別のネットワーク１１２に接続され、別のネットワーク１１２は、例えば、インターネット及び／又は公衆交換電話網（ＰＳＴＮ）を含んでもよい。以下で説明されるように、無線Ａ／Ｖ記録及び通信ドアベル１００は、無線ネットワーク１１０及びネットワーク１１２を介して、ユーザのクライアントデバイス１１４と通信してもよい。ユーザのクライアントデバイス１１４は、例えば、スマートフォン、携帯情報端末（ＰＤＡ）、又は別の通信デバイスなど、携帯電話（セルラ電話とも称されてもよい）を含んでもよい。ユーザのクライアントデバイス１１４は、ストリーミング及び／又は記録されたビデオ画像を表示する能力を有するディスプレイ（図示せず）及び関連する構成要素を含む。ユーザのクライアントデバイス１１４はまた、ストリーミング及び／又は記録された音声をブロードキャストする能力を有するスピーカ及び関連する構成要素を含んでもよく、また、マイクロフォンを含んでもよい。無線Ａ／Ｖ記録及び通信ドアベル１００はまた、無線ネットワーク１１０及びネットワーク１１２を介して、１つ以上のリモート記憶装置（複数可）１１６（「クラウド記憶装置（複数可）」と交換可能に称されてもよい）及び／又は１つ以上のサーバ１１８と通信してもよい。図９はネットワーク１１２とは別個の構成要素として記憶装置１１６及びサーバ１１８を例示するが、記憶装置１１６及び／又はサーバ１１８は、ネットワーク１１２の構成要素であると見なされてもよいことが理解されよう。
【００７１】
ネットワーク１１２は、図９に示されるように、上記言及されたモジュール、デバイス、及びシステムに動作可能に結合するように構成された、任意の無線ネットワーク若しくは任意の有線ネットワーク、又はそれらの組み合わせであってもよい。例えば、ネットワーク１１２は、ＰＳＴＮ（公衆交換電話網）、インターネット、ローカルイントラネット、ＰＡＮ（パーソナルエリアネットワーク）、ＬＡＮ（ローカルエリアネットワーク）、ＷＡＮ（ワイドエリアネットワーク）、ＭＡＮ（メトロポリタンエリアネットワーク）、仮想プライベートネットワーク（ＶＰＮ）、ストレージエリアネットワーク（ＳＡＮ）、フレームリレー接続、アドバンストインテリジェントネットワーク（ＡＩＮ）接続、同期光ネットワーク（ＳＯＮＥＴ）接続、デジタルＴ１、Ｔ３、Ｅ１若しくはＥ３ライン、デジタルデータサービス（ＤＤＳ）接続、ＤＳＬ（デジタル加入者ライン）接続、イーサネット（登録商標）接続、ＩＳＤＮ（統合サービスデジタルネットワーク）ライン、Ｖ．９０、Ｖ．３４、若しくはＶ．３４ｂｉｓアナログモデム接続などのダイヤルアップポート、ケーブルモデム、ＡＴＭ（非同期転送モード）接続、又はＦＤＤＩ（ファイバ分散データインタフェース）若しくはＣＤＤＩ（コパー分散データインタフェース）接続のうちの１つ以上を含んでもよい。更に、通信はまた、ＷＡＰ（無線アプリケーションプロトコル）、ＧＰＲＳ（汎用パケット無線サービス）、ＧＳＭ（グローバルシステムフォーモバイルコミュニケーション）、ＣＤＭＡ（符号分割多元接続）、ＴＤＭＡ（時分割多元接続）、ＦＤＭＡ（周波数分割多元接続）、及び／若しくはＯＦＤＭＡ（直交周波数分割多元接続）、セルラ電話ネットワーク、ＧＰＳ、ＣＤＰＤ（セルラデジタルパケットデータ）、ＲＩＭ（リサーチインモーションリミテッド）多重ネットワーク、Ｂｌｕｅｔｏｏｔｈ（登録商標）無線、又はＩＥＥＥ８０２．１１ベースの無線周波数ネットワークを含む、様々な無線ネットワークのいずれかへのリンクを含んでもよい。ネットワークは更に、ＲＳ−２３２シリアル接続、ＩＥＥＥ−１３９４（Ｆｉｒｅｗｉｒｅ）接続、ファイバチャネル接続、ＩｒＤＡ（赤外線）ポート、ＳＣＳＩ（スモールコンピュータシステムインタフェース）接続、ＵＳＢ（ユニバーサルシリアルバス）接続、又は他の有線若しくは無線、デジタル若しくはアナログ、インタフェース若しくは接続、メッシュ若しくはＤｉｇｉ（登録商標）ネットワーキングのうちのいずれか１つ以上を含むことができ、又はそれらのうちのいずれか１つ以上とインタフェース接続することができる。１つの例示的な実施形態では、ネットワーク１１２は、ＬＡＮを含むユーザの無線ネットワーク１１０に接続されたＷＡＮを含む。
【００７２】
本実施形態の１つ以上の態様に従って、人間（「訪問者」と交換可能に称されてもよい）が無線Ａ／Ｖ記録及び通信ドアベル１００に到達するとき、無線Ａ／Ｖ記録及び通信ドアベル１００は、訪問者の存在を検出し、カメラ１０２の視野内のビデオ画像を捕捉することを開始する。無線Ａ／Ｖ記録及び通信ドアベル１００はまた、マイクロフォン１０４を通じて音声を捕捉してもよい。無線Ａ／Ｖ記録及び通信ドアベル１００は、動きセンサを使用して、並びに／又は訪問者が無線Ａ／Ｖ記録及び通信ドアベル１００上のボタンを押圧したことを検出することによって、訪問者の存在を検出してもよい。
【００７３】
訪問者の検出に応答して、無線Ａ／Ｖ記録及び通信ドアベル１００は、ユーザの無線ネットワーク１１０及びネットワーク１１２を介して、ユーザのクライアントデバイス１１４（図９）に警告を送信する。無線Ａ／Ｖ記録及び通信ドアベル１００はまた、ユーザのクライアントデバイス１１４に、ストリーミングビデオを送信し、また、ストリーミング音声を送信してもよい。ユーザが警告に応える場合、双方向音声通信は次いで、無線Ａ／Ｖ記録及び通信ドアベル１００並びにユーザのクライアントデバイス１１４を通じて、訪問者とユーザとの間で行われてもよい。ユーザは、呼び出しの期間の全体を通じて訪問者を見ることができるが、訪問者はユーザを見ることができない（無線Ａ／Ｖ記録及び通信ドアベル１００が、それが一部の実施形態にあることができるディスプレイを含まない限り）。
【００７４】
無線Ａ／Ｖ記録及び通信ドアベル１００のカメラ１０２によって捕捉されたビデオ画像（並びに、マイクロフォン１０４によって捕捉された音声）は、クラウドにアップロードされてもよく、リモート記憶装置１１６（図９）に記録されてもよい。一部の実施形態では、ビデオ及び／又は音声は、ユーザが自身のクライアントデバイス１１４に送信された警告を無視すると選択した場合でさえ、リモート記憶装置１１６に記録されてもよい。
【００７５】
図１０〜１２は、本実施形態の態様に従った、無線音声／ビデオ（Ａ／Ｖ）通信ドアベル１３０を例示する。図１０は、取り付けブラケット１３７と結合されたドアベル１３０の正面図であり、図１１は、取り付けブラケット１３７と結合されたドアベル１３０の背面図であり、図１２は、取り付けブラケット１３７と結合されたドアベル１３０の左側面図である。ドアベル１３０は、背面板１３９（図１１）に取り付けられた面板１３５を含む。図１２を参照すると、面板１３５は、実質的に平面な外形を有する。面板１３５は、それに限定されないが、艶消アルミニウム若しくはステンレス鋼、金属合金、又はプラスチックなどの金属を含む任意の適切な材料を含んでもよい。面板１３５は、ドアベル１３０の内在物を保護し、ドアベル１３０の外側前面としての機能を果たす。
【００７６】
図１０を参照すると、面板１３５は、ボタン１３３及びライトパイプ１３６を含む。ボタン１３３及びライトパイプ１３６は、面板１３５の外形に一致してもよく、又は一致しなくてもよい様々な外形を有してもよい。ライトパイプ１３６は、それに限定されないが、ドアベル１３０内で生じる光が通過することを可能にする能力を有する、透過プラスチックを含む任意の適切な材料を含んでもよい。光は、以下で更に説明されるように、ドアベル１３０内に含まれる発光ダイオード（ＬＥＤ）などの１つ以上の発光素子によって生じてもよい。ボタン１３３は、ボタン１３３が訪問者によって押下されるとき、ドアベル１３０内に位置するボタンアクチュエータ（図示せず）と接触してもよい。押下されるとき、ボタン１３３は、以下で更に説明されるように、ドアベル１３０の１つ以上の機能をトリガすることができる。
【００７７】
図１０及び１２を参照すると、ドアベル１３０は更に、面板１３５にかみ合う筐体１３１を含む。例示される実施形態では、筐体１３１は、面板１３５の上縁１３５Ｔ（図１０）に隣接するが、代替的な実施形態では、筐体１３１と面板１３５との間の１つ以上の隙間は、ドアベル１３０を通じてサウンド及び／又は光の通過を促進することができる。筐体１３１は、任意の適切な材料を含んでもよいが、一部の実施形態では、筐体１３１の材料は好ましくは、赤外線光がドアベル１３０の内部から周囲、及びその逆に通過することを可能にする。ドアベル１３０は更に、レンズ１３２を含む。一部の実施形態では、レンズは、ドアベル１３０内に位置する１つ以上の赤外線センサに入り込む光を屈折させるようにパターン化することができる、Ｆｒｅｓｎｅｌレンズを含んでもよい。ドアベル１３０は更に、以下で説明されるように、活性化されるときにビデオデータを捕捉するカメラ１３４を含む。
【００７８】
図１１は、本実施形態の態様に従った、ドアベル１３０の背面図である。例示されるように、筐体１３１は、ドアベル１３０の前方からその背面の周りに延在してもよく、背面板１３９の縁の周りにぴったりと適合することができる。背面板１３９は、それに限定されないが、艶消アルミニウム若しくはステンレス鋼、金属合金、又はプラスチックなどの金属を含む任意の適切な材料を含んでもよい。背面板１３９は、ドアベル１３０の内在物を保護し、ドアベル１３０の外側背面としての機能を果たす。面板１３５は、ドアベル１３０の前方から延在してもよく、背面板１３９の周りを少なくとも部分的に覆ってもよく、それによって、面板１３５と背面板１３９との間の結合された接続を可能にする。背面板１３９は、結合を容易にするためにその構造において窪みを有してもよい。
【００７９】
図１１を更に参照すると、バネ接点１４０は、電源に接続された他の導電接点と係合されるとき、ドアベル１３０に電力を提供することができる。バネ接点１４０は、それに限定されないが、銅を含む任意の適切な導電材料を含んでもよく、内部への力、例えば、係合要素の挿入によって接触されるときに屈折する能力を有してもよい。ドアベル１３０は更に、マイクロＵＳＢ又は他のコネクタなどのコネクタ１６０を含み、それによって、電力及び／又はデータは、ドアベル１３０内の構成要素に及び構成要素から供給されてもよい。リセットボタン１５９は、背面板１３９上に位置してもよく、リセットボタン１５９が押下されるとき、ドアベル１３０内に位置するボタンアクチュエータ（図示せず）と接触してもよい。リセットボタン１５９が押下されるとき、それは、以下で説明されるように、１つ以上の機能をトリガすることができる。
【００８０】
図１２は、本実施形態の態様に従った、取り付けブラケット１３７に結合されたドアベル１３０の左側外形図である。取り付けブラケット１３７は、住居又はオフィスなど、建物の外側などの表面にドアベル１３０を取り付けることを容易にする。図１２に例示されるように、面板１３５は、上記説明されたように、ドアベル１３０の底部からカメラ１３４の直下まで延在してもよく、背面板１３９に接続してもよい。レンズ１３２は、ドアベル１３０の側面の周りで部分的に延在及び屈曲してもよい。筐体１３１は、上記説明されたように、ドアベル１３０の側面及び最上部の周りで延在及び屈曲してもよく、背面板１３９に結合されてもよい。カメラ１３４は、筐体１３１を通じてわずかに突出してもよく、それによって、より広い視野を与える。取り付けブラケット１３７は、背面板１３９と結合してもよく、その結果、それらは、接触の共通面内の様々なポイントにおいて相互に接触し、それによって、ドアベル１３０及び取り付けブラケット１３７を含むアセンブリを生成する。この段落において、及び他で説明される結合は、例えば、それに限定されないが、ネジ、締まりバネ、接着剤、又は他のファスナによって固定されてもよい。締まりバネは、異なる要素への接続を支持するための材料の物理強度と結合された圧力及び／又は重力に材料が依存するタイプの接続を指す。
【００８１】
図１３は、取り付けブラケット１３７を有さないドアベル１３０の右側断面図である。例示される実施形態では、レンズ１３２は、筐体１３１の前面１３１Ｆと実質的に同一平面上にある。代替的な実施形態では、レンズ１３２は、筐体１３１内で埋め込まれてもよく、又は筐体１３１から外側に突出してもよい。カメラ１３４は、カメラプリント回路基板（ＰＣＢ）１４７に結合され、カメラ１３４のレンズ１３４ａは、筐体１３１内の開口を通じて突出する。カメラレンズ１３４ａは、明確な画像を撮ることができるようにカメラ１３４に光の焦点を合わせる能力を有するレンズであってもよい。
【００８２】
カメラＰＣＢ１４７は、ネジ、又は締まり接続、接着剤などの任意の適切なファスナによりドアベル内で固定されてもよい。カメラＰＣＢ１４７は、以下で説明されるように、ドアベル１３０のカメラ１３４の機能性を有効にする様々な構成要素を含む。赤外線ＬＥＤ１６８など、赤外線発光素子は、カメラＰＣＢ１４７に結合され、光センサが低レベルの周囲光を検出するときに活性化するようにトリガされてもよい。活性化されるとき、赤外線ＬＥＤ１６８は、筐体１３１及び／又はカメラ１３４を通じて、周囲環境に及び周囲環境から赤外線光を発することができる。赤外線光を検出するように構成することができるカメラ１３４は次いで、それがカメラ１３４の視野内の物体に反射するので、赤外線ＬＥＤ１６８によって発せられた光を捕捉することができ、その結果、ドアベル１３０は、夜間に画像を明確に捕捉することができる（「暗視」と称されてもよい）。
【００８３】
図１３を続けて参照すると、ドアベル１３０は更に、前方ＰＣＢ１４６を含み、前方ＰＣＢ１４６は、例示される実施形態では、バッテリ１６６に隣接するドアベル１３０の下位部に存在する。前方ＰＣＢ１４６は、ネジ、又は締まり接続、接着剤などの任意の適切なファスナによりドアベル１３０内で固定されてもよい。前方ＰＣＢ１４６は、以下で更に説明されるように、音声及び照明構成要素の機能性を有効にする様々な構成要素を含む。バッテリ１６６は、ドアベル１３０の構成要素に電力を提供すると共に、バネ接点１４０から電力を受信することができ、それによって、電力消費及び供給のトリクル充電方法に従事する。代わりに、ドアベル１３０は、バネ接点１４０から電力を直接引き出すと共に、バネ接点１４０が全ての機能に必要な電力を提供しないときにのみバッテリ１６６に依存してもよい。
【００８４】
図１３を続けて参照すると、ドアベル１３０は更に、電力ＰＣＢ１４８を含み、電力ＰＣＢ１４８は、例示される実施形態では、カメラＰＣＢ１４７の背後に存在する。電力ＰＣＢ１４８は、ネジ、又は締まり接続、接着剤などの任意の適切なファスナによりドアベル１３０内で固定されてもよい。電力ＰＣＢ１４８は、以下で更に説明されるように、電力及びデバイス制御構成要素の機能性を有効にする様々な構成要素を含む。
【００８５】
図１３を続けて参照すると、ドアベル１３０は更に、電力ＰＣＢ１４８に結合された通信モジュール１６４を含む。通信モジュール１６４は、以下で更に説明されるように、１つ以上のリモート位置におけるクライアントデバイスとの通信を容易にする。コネクタ１６０は、電力ＰＣＢ１４８から外側に突出してもよく、背面板１３９内の孔を通じて延在してもよい。ドアベル１３０は更に、ＰＩＲセンサホルダ１４３上で又はＰＩＲセンサホルダ１４３内で固定されたパッシブ赤外線（ＰＩＲ）センサ１４４を含み、アセンブリは、レンズ１３２の背後に存在する。ＰＩＲセンサホルダ１４３は、ネジ、又は締まり接続、接着剤などの任意の適切なファスナによりドアベル１３０内で固定されてもよい。ＰＩＲセンサ１４４は、視野内の熱源の存在を検出及び通信する能力を有する任意のタイプのセンサであってもよい。更に、代替的な実施形態は、ＰＩＲセンサ１４４の代わりに、又はそれに加えてのいずれかで、１つ以上の動きセンサを含んでもよい。動きセンサは、視野内の熱源の存在を検出することに依存しない手順など、任意の手順を使用して動きを検出するように構成されてもよい。
【００８６】
図１４は、本実施形態の態様に従った、ドアベル１３０及び取り付けブラケット１３７の分解図である。取り付けブラケット１３７は、住居又はオフィスなど、構造の取り付け面（図示せず）に取り付けられるように構成される。図１４は、取り付けブラケット１３７の前側１３７Ｆを示す。取り付けブラケット１３７は、取り付け面に取り付けられるように構成され、その結果、その後側１３７Ｂが取り付け面に面する。特定の実施形態では、取り付けブラケット１３７は、ネジ、又は締まり接続、接着剤などの任意の適切なファスナにより、それに限定されないが、木、コンクリート、スタッコ、煉瓦、ヴァイナルサイディング、アルミニウムサイディングなどを含む様々な組成物の面に取り付けられるように構成されてもよい。ドアベル１３０は、ネジ、又は締まり接続、接着剤などの任意の適切なファスナにより取り付けブラケット１３７に結合されてもよい。
【００８７】
図１４を続けて参照すると、取り付けブラケット１３７の例示される実施形態は、端子ネジ１３８を含む。端子ネジ１３８は、取り付けブラケット１３７が取り付けられた構造の取り付け面に隣接する電線を受けるように構成され、その結果、ドアベル１３０は、構造の電気系統から電力を受信することができる。端子ネジ１３８は、取り付けブラケットの電気接点１７７に電気的に接続される。電力が端子ネジ１３８に供給される場合、電気接点１７７はまた、端子ネジ１３８を通じて電力を受信する。電気接点１７７は、それに限定されないが、銅を含む任意の適切な導電材料を含んでもよく、取り付けブラケット１３７の面からわずかに突出してもよく、その結果、それらは背面板１３９上に位置するバネ接点１４０と係合することができる。
【００８８】
図１４及び１５（取り付けブラケット１３７の背面図である）を参照すると、取り付けブラケット１３７は更に、ブラケットＰＣＢ１４９を含む。図１５を参照すると、ブラケットＰＣＢ１４９は、ドアベル１３０の外部に位置し、したがって、加速度計１５０、圧力計１５１、湿度センサ１５２、及び温度センサ１５３など、周囲条件を測定する様々なセンサに対して構成される。それらの構成要素の機能は、以下で更に詳細に議論される。ブラケットＰＣＢ１４９は、ネジ、又は締まり接続、接着剤などの任意の適切なファスナにより取り付けブラケット１３７に固定されてもよい。
【００８９】
図１６Ａ及び１６Ｂはそれぞれ、ドアベル１３０の上面図及び底面図である。上記説明されたように、筐体１３１は、ドアベル１３０の前面１３１Ｆから背後に延在してもよく、そこでは、それは、背面板１３９と接触し、背面板１３９をぴったりと囲む。カメラ１３４は、筐体１３１の前面１３１Ｆを超えてわずかに突出してもよく、それによって、カメラ１３４により広い視野を与える。取り付けブラケット１３７は、実質的に平面な裏面１３７Ｒを含んでもよく、その結果、ドアベル１３０及び取り付けブラケット１３７のアセンブリは、それらが取り付けられた面に対して平坦に存在することができる。図１０Ｂを参照すると、筐体１３１の下端は、ネジ又は他のファスナを受けるように構成されたセキュリティネジ開口部１４１を含んでもよい。
【００９０】
図１１Ａは、ＰＩＲセンサホルダ１４３の上面図である。ＰＩＲセンサホルダ１４３は、それに限定されないが、金属、金属合金、又はプラスチックを含む任意の適切な材料を含んでもよい。ＰＩＲセンサホルダ１４３は、レンズ１３２の背後にＰＩＲセンサ１４４を取り付けるように構成され、その結果、ＰＩＲセンサ１４４は、可変の角度においてレンズ１３２を通じて外に向き、それによって、以下で更に説明されるように、ＰＩＲセンサ１４４に対して広い視野を生じさせ、視野をゾーンに分割する。図１１Ａを更に参照すると、ＰＩＲセンサホルダ１４３は、１つ以上の面１７８を含み、面１７８内で又は面１７８上で、ＰＩＲセンサ１４４が取り付けられてもよい。例示される実施形態では、ＰＩＲセンサホルダ１４３は３つの面１７８を含み、２つの外面１７８の各々が面１７８の中心の１つに対して５５度に角度付けられる。代替的な実施形態では、面１７８の隣接した１つによって形成された角度は、ＰＩＲセンサ１４４の視野を変えるように、要求に応じて増加又は減少してもよい。
【００９１】
図１１Ｂは、ＰＩＲセンサホルダ１４３の正面図である。例示される実施形態では、面１７８の各々は、ＰＩＲセンサを取り付けることができる貫通孔１８０を含む。相互に間隔が空けられた第１及び第２のブラケット１８２は、ＰＩＲセンサホルダ１４３にわたって横に延在する。ブラケット１８２の各々は、いずれかの端においてノッチ１８４を含む。ブラケット１８２は、ドアベル１３０内でＰＩＲセンサホルダ１４３を固定するために使用されてもよい。代替的な実施形態では、面１７８内の貫通孔１８０が省略されてもよい。例えば、ＰＩＲセンサ１４４は、貫通孔１８０なしに面１７８に直接取り付けられてもよい。概して、面１７８は、ＰＩＲセンサ１４４を適当な位置に位置付け及び固定するように構成された任意の構造から構成されてもよい。
【００９２】
図１８Ａ及び１８Ｂはそれぞれ、ＰＩＲセンサホルダ１４３、レンズ１３２、及び適応性電力回路１４５を含むＰＩＲセンサアセンブリ１７９の上面図及び正面図である。ＰＩＲセンサホルダ１４３は、示されるように、レンズ１３２の裏面１３２Ｒに隣接したブラケット１８２により、レンズ１３２の裏面１３２Ｒに固定されてもよい。ＰＩＲセンサ１４４に及びＰＩＲセンサ１４４から電力及び／又はデータを配信する能力を有する任意の物又は構成要素とすることができる適応性電力回路１４５は、ＰＩＲセンサホルダ１４３の裏面１４３Ｒに固定され、ＰＩＲセンサホルダ１４３の角度のある形状に合致するように成形されてもよい。適応性電力回路１４５は、電力ＰＣＢ１４８（図１３）に接続してもよく、電力ＰＣＢ１４８から電力を引き出してもよく、並びに／又は電力ＰＣＢ１４８に及び／若しくは電力ＰＣＢ１４８からデータを伝送してもよい。
【００９３】
図１９は、ＰＩＲセンサ１４４の視野を例示するＰＩＲセンサアセンブリ１７９の上面図である。各々のＰＩＲセンサ１４４は、それぞれのＰＩＲセンサ１４４から外側に延在する角度を辿る、「ゾーン」と称される視野を含む。ゾーン１は、パッシブ赤外線センサ１４４−１にのみ視認可能な領域である。ゾーン２は、ＰＩＲセンサ１４４−１及び１４４−２にのみ視認可能な領域である。ゾーン３は、パッシブ赤外線センサ１４４−２にのみ視認可能な領域である。ゾーン４は、ＰＩＲセンサ１４４−２及び１４４−３にのみ視認可能な領域である。ゾーン５は、パッシブ赤外線センサ１４４−３にのみ視認可能な領域である。ドアベル１３０は、どのゾーンが時間系列でトリガされるかに基づいて物体が移動している方向を判定する能力を有することができる。例示される実施形態では、各々のゾーンは、１１０度の角度にわたって延在する。代替的な実施形態では、各々のゾーンは、１１０度よりも大きい又は小さい角度など、異なる角度にわたって延在してもよい。
【００９４】
図２０は、本実施形態の態様に従った、ドアベル１３０内の構成要素又はドアベル１３０と通信する構成要素の機能ブロック図である。上記説明されたように、ブラケットＰＣＢ１４９は、加速度計１５０、圧力計１５１、湿度センサ１５２、及び温度センサ１５３を含んでもよい。加速度計１５０は、動き及び／又は加速度を感知する能力を有する１つ以上のセンサであってもよい。圧力計１５１は、ブラケットＰＣＢ１４９が位置することができる周辺環境の気圧を判定する能力を有する１つ以上のセンサであってもよい。湿度センサ１５２は、ブラケットＰＣＢ１４９が位置することができる大気環境に存在する水蒸気の量を判定する能力を有する１つ以上のセンサであってもよい。温度センサ１５３は、ブラケットＰＣＢ１４９が位置することができる周囲環境の温度を判定する能力を有する１つ以上のセンサであってもよい。上記説明されたように、ブラケットＰＣＢ１４９は、熱、圧力、水蒸気、及び／又はドアベル１３０の内部構成要素によって生成された他の刺激からの干渉を減少させるように、ドアベル１３０の筐体の外側に位置してもよい。
【００９５】
図２０を更に参照すると、ブラケットＰＣＢ１４９は更に、端子ネジ挿入部１５４を含んでもよく、端子ネジ挿入部１５４は、端子ネジ１３８を受け、取り付けブラケット１３７（図１４）上で電気接点１７７に電力を伝送するように構成されてもよい。ブラケットＰＣＢ１４９は、端子ネジ１３８、端子ネジ挿入部１５４、バネ接点１４０、及び電気接点１７７を通じて電力ＰＣＢ１４８に電気的及び／又は機械的に結合されてもよい。端子ネジ１３８は、建物の壁など、ドアベル１３０が取り付けられる面に位置する電線を受けてもよく、その結果、ドアベルは、建物の電気系統から電力を受信することができる。端子ネジ１３８が端子ネジ挿入部１５４内で固定されると、電力は、ブラケットＰＣＢ１４９に、及び電気接点１７７を含む、それと関連付けられた構成要素の全てに転送されてもよい。電気接点１７７は、バネ接点１４０と係合することによって、電力ＰＣＢ１４８に電力を転送してもよい。
【００９６】
図２０を更に参照すると、前方ＰＣＢ１４６は、光センサ１５５、ＬＥＤ１５６などの１つ以上の発光素子、１つ以上のスピーカ１５７、及びマイクロフォン１５８を含んでもよい。光センサ１５５は、ドアベル１３０が位置することができる周辺環境の周囲光のレベルを検出する能力を有する１つ以上のセンサであってもよい。ＬＥＤ１５６は、電力が供給されるときに可視光を生成する能力を有する１つ以上の発光ダイオードであってもよい。スピーカ１５７は、電気信号入力に応答してサウンドを生成する能力を有する任意の電気機械デバイスであってもよい。マイクロフォン１５８は、電気信号に音波を変換する能力を有する音響−電気トランスデューサ又はセンサであってもよい。活性化されるとき、ＬＥＤ１５６は、ライトパイプ１３６（図１０）を照らしてもよい。前方ＰＣＢ１４６及びその全ての構成要素は、電力ＰＣＢ１４８に電気的に結合されてもよく、それによって、電力ＰＣＢ１４８及び前方ＰＣＢ１４６に、並びに電力ＰＣＢ１４８及び前方ＰＣＢ１４６から、データ及び／又は電力が転送されることを可能にする。
【００９７】
スピーカ１５７及びマイクロフォン１５８は、音声コーデック１６１を通じてカメラプロセッサ１７０に結合されてもよい。例えば、ユーザのクライアントデバイス１１４、スピーカ１５７、及びマイクロフォン１５８からのデジタル音声の転送は、カメラプロセッサ１７０に結合された音声コーデック１６１を使用して圧縮及び圧縮解除されてもよい。音声コーデック１６１によって圧縮されると、デジタル音声データは、通信モジュール１６４を通じてネットワーク１１２に送信されてもよく、１つ以上のサーバ１１８によって経路指定されてもよく、ユーザのクライアントデバイス１１４に配信されてもよい。ユーザが話すとき、ネットワーク１１２を通じて転送された後、デジタル音声データは、音声コーデック１６１によって圧縮解除され、スピーカ１５７を介して訪問者に発せされる。
【００９８】
図２０を更に参照すると、電力ＰＣＢ１４８は、電力管理モジュール１６２、マイクロコントローラ１６３、通信モジュール１６４、及び電力ＰＣＢ不揮発性メモリ１６５を含んでもよい。特定の実施形態では、電力管理モジュール１６２は、複数の電圧レールの間で仲裁し、それによって、ドアベル１３０についての動力源を選択する能力を有する集積回路を含んでもよい。バッテリ１６６、バネ接点１４０、及び／又はコネクタ１６０は各々、電力管理モジュール１６２に電力を提供してもよい。電力管理モジュール１６２は、バッテリ１６６、バネ接点１４０、及びコネクタ１６０に専用の別個の電力レールを有してもよい。本開示の１つの態様では、電力管理モジュール１６２は、ドアベル１３０に電力供給するためにバッテリ１６６から電力を継続的に引き出すのと同時に、バネ接点１４０及び／又はコネクタ１６０からバッテリ１６６に電力を経路指定してもよく、それによって、バッテリ１６６が実質的に一定の充電レベルを維持することを可能にする。代わりに、電力管理モジュール１６２は、ドアベル１３０に電力供給するためにバネ接点１４０及び／又はコネクタ１６０から電力を継続的に引き出すと共に、バネ接点１４０及び／又はコネクタ１６０からの電力が低く又は不十分であるとき、バッテリ１６６からのみ電力を引き出してもよい。電力管理モジュール１６２はまた、コネクタ１６０とマイクロコントローラ１６３との間のデータについての通路としての役割を果たしてもよい。
【００９９】
図２０を更に参照すると、特定の実施形態では、マイクロコントローラ１６３は、プロセッサコア、メモリ、及びプログラム可能入力／出力周辺機器を含む集積回路を含んでもよい。マイクロコントローラ１６３は、ＰＩＲセンサ１４４、ブラケットＰＣＢ１４９、電力管理モジュール１６２、光センサ１５５、マイクロフォン１５８、及び／又は通信モジュール１６４から、データ及び／又は電力などの入力信号を受信してもよく、以下で更に説明される様々な機能を実行してもよい。マイクロコントローラ１６３がＰＩＲセンサ１４４によってトリガされるとき、マイクロコントローラ１６３は、図２２を参照すると以下で説明される機能など、１つ以上の機能を実行するようにトリガされてもよい。光センサ１５５が低レベルの周囲光を検出するとき、光センサ１５５は、以下で更に説明されるように、「暗視」を有効にするようにマイクロコントローラ１６３をトリガしてもよい。マイクロコントローラ１６３はまた、様々な構成要素と通信モジュール１６４との間で通信されるデータについての通路としての機能を果たしてもよい。
【０１００】
図２０を更に参照すると、通信モジュール１６４は、プロセッサコア、メモリ、及びプログラム可能入力／出力周辺機器を含む集積回路を含んでもよい。通信モジュール１６４はまた、リモートネットワークデバイスに無線でデータを伝送するように構成されてもよく、１つ以上の送受信機（図示せず）を含んでもよい。無線通信は、それに限定されないが、Ｗｉ−Ｆｉ（登録商標）、セルラ、Ｂｌｕｅｔｏｏｔｈ（登録商標）、及び／又はサテライトネットワークなど、１つ以上の無線ネットワークを含んでもよい。通信モジュール１６４は、カメラＰＣＢ１４７、マイクロコントローラ１６３、ボタン１３３、リセットボタン１５９、及び／又は電力ＰＣＢ不揮発性メモリ１６５から、電力及び／又はデータなどの入力を受信してもよい。ボタン１３３が押下されるとき、通信モジュール１６４は、図２１を参照して以下で説明される機能など、１つ以上の機能を実行するようにトリガされてもよい。リセットボタン１５９が押下されるとき、通信モジュール１６４は、電力ＰＣＢ不揮発性メモリ１６５及び／又はカメラＰＣＢメモリ１６９に記憶された任意のデータを消去するようにトリガされてもよい。通信モジュール１６４はまた、様々な構成要素とマイクロコントローラ１６３との間で通信されるデータについての通路としての機能を果たしてもよい。電力ＰＣＢ不揮発性メモリ１６５は、データを記憶及び／又は伝送するように構成されたフラッシュメモリを含んでもよい。例えば、特定の実施形態では、電力ＰＣＢ不揮発性メモリ１６５は、シリアルペリフェラルインタフェース（ＳＰＩ）フラッシュメモリを含んでもよい。
【０１０１】
図２０を更に参照すると、カメラＰＣＢ１４７は、カメラ１３４の動作を容易にする構成要素を含んでもよい。例えば、撮像装置１７１は、ビデオ記録センサ及び／又はカメラチップを含んでもよい。本開示の１つの態様では、撮像装置１７１は、相補型金属酸化膜半導体（ＣＭＯＳ）アレイを含んでもよく、高解像度（７２０ｐ又はそれよりも良好な）ビデオファイルを記録する能力を有することができる。カメラプロセッサ１７０は、符号化及び圧縮チップを含んでもよい。一部の実施形態では、カメラプロセッサ１７０は、ブリッジプロセッサを含んでもよい。カメラプロセッサ１７０は、撮像装置１７１によって記録されたビデオ及びマイクロフォン１５８によって記録された音声を処理してもよく、ネットワークへの通信モジュール１６４による無線転送に適切な形式にこのデータを転換してもよい。カメラＰＣＢメモリ１６９は、データがカメラプロセッサ１７０によってバッファ又は符号化されるときに使用することができる揮発性メモリを含んでもよい。例えば、特定の実施形態では、カメラＰＣＢメモリ１６９は、同期ダイナミックランダムアクセスメモリ（ＳＤ  ＲＡＭ）を含んでもよい。ＩＲ  ＬＥＤ１６８は、赤外線光を放射する能力を有する発光ダイオードを含んでもよい。ＩＲカットフィルタ１６７は、トリガされるとき、可視光とは反対に赤外線光を主に見るように撮像装置１７１を構成するシステムを含んでもよい。光センサ１５５が低レベルの周囲光（視認可能なスペクトルにおいて撮像装置１７１の性能を妨げるレベルを含むことがある）を検出するとき、ＩＲ  ＬＥＤ１６８は、ドアベル１３０を通じて筐体から環境に赤外線光を放ってもよく、ＩＲカットフィルタ１６７は、この赤外線光がドアベルの視野内の物体から反射し、又は物体から屈折するにつれて、撮像装置１７１がそれを見るようにすることを可能にすることができる。この処理は、ドアベル１３０に、上記言及された「暗視」機能を提供することができる。
【０１０２】
図２１は、本開示の態様に従った、処理の一実施形態を例示するフローチャートである。ブロックＢ２００において、訪問者は、ドアベル１３０上のボタン１３３を押下する。ブロックＢ２０２において、通信モジュール１６４は、ネットワークデバイスに要求を送信する。ブロックＢ２０４において、ネットワークデバイスが要求を受信すると、ネットワークデバイスは、ユーザの無線ネットワーク１１０及びネットワーク１１２を通じて、ユーザのクライアントデバイス１１４にドアベル１３０を接続してもよい。ブロックＢ２０６において、ドアベル１３０は、カメラ１３４、マイクロフォン１５８、及び／又は利用可能な他のセンサを使用して、利用可能な音声及び／又はビデオデータを記録してもよい。ブロックＢ２０８において、音声及び／又はビデオデータは、ユーザのクライアントデバイス１１４に伝送される。ブロックＢ２１０において、ユーザは、自身のクライアントデバイス１１４上で、承認又は拒否のいずれかをするようユーザを促す通知を受信してもよい。ユーザが通知を拒否する場合、処理は次いで、ブロックＢ２１４に進み、そこでは、音声及び／又はビデオデータがクラウドサーバに記録及び記憶される。セッションは次いで、ブロックＢ２１６において終了し、ドアベル１３０とユーザのクライアントデバイス１１４との間の接続が終端される。しかしながら、ユーザが通知を承認することを選択する場合、ブロックＢ２１２において、ユーザは次いで、ユーザのクライアントデバイス１１４を通じて訪問者と通信すると共に、カメラ１３４、マイクロフォン１５８、及び／又は他のセンサによって捕捉された音声及び／又はビデオデータを提供される。呼び出しの終わりに、ユーザは、ユーザのクライアントデバイス１１４とドアベル１３０との間の接続を終端させてもよく、セッションがブロックＢ２１６において終了する。一部の実施形態では、音声及び／又はビデオデータは、ユーザが通知を承認し、ユーザのクライアントデバイス１１４を通じて訪問者と通信する場合でさえ、クラウドサーバに記録及び記憶されてもよい（ブロックＢ２１４）。
【０１０３】
図２２は、本開示の態様に従った、処理の別の実施形態を例示するフローチャートである。ブロックＢ３００において、物体は、ＰＩＲセンサ１４４の１つ以上の視野に移動することができる。ブロックＢ３０２において、ＰＩＲセンサ１４４は、マイクロコントローラ１６３をトリガしてもよく、マイクロコントローラ１６３は次いで、ネットワークデバイスに要求を送信するように通信モジュール１６４をトリガしてもよい。ブロックＢ３０４において、ネットワークデバイスは、ユーザの無線ネットワーク１１０及びネットワーク１１２を通じて、ユーザのクライアントデバイス１１４にドアベル１３０を接続してもよい。ブロックＢ３０６において、ドアベル１３０は、カメラ１３４、マイクロフォン１５８、及び／又は任意の他の利用可能なセンサを使用して、利用可能な音声及び／又はビデオデータを記録してもよく、ユーザのクライアントデバイス１１４にデータをストリーミングしてもよい。ブロックＢ３０８において、ユーザは、通知を承認又は拒否のいずれかをするようにユーザを促す通知を受信してもよい。通知が承認される場合、ブロックＢ３１０ａにおいて、ライブ音声／ビデオデータは次いで、ユーザのクライアントデバイス１１４上で表示されてもよく、それによって、ドアベル１３０の視点からのユーザ観察を可能にする。ユーザがこの機能に満足するとき、ユーザは、ブロックＢ３１２において接続を切断してもよく、それによって、セッションが終了する。しかしながら、ブロックＢ３０８において、ユーザが通知を拒否し、又は通知を無視し、指定された時間間隔が経過した場合、ドアベル１３０とユーザのクライアントデバイス１１４との間の接続が終端され、ブロックＢ３１０ｂにおいて、音声／ビデオデータがクラウドサーバに記録及び記憶され、その結果、ユーザは、後の都合のよいときに音声／ビデオデータを見ることができる。ドアベル１３０は、ブロックＢ３０８における通知が拒否又は無視される場合、指定された期間の間に記録するように構成されてもよい。そのような期間が設定される場合、ドアベル１３０は、ブロックＢ３１２において動作を中断する前の期間の間にデータを記録してもよく、それによって、セッションを終了する。一部の実施形態では、音声及び／又はビデオデータは、ユーザが通知を承認し、ユーザのクライアントデバイス１１４を通じて訪問者と通信する場合でさえ、クラウドサーバに記録及び記憶されてもよい（ブロックＢ３１０ｂ）。
【０１０４】
図２３は、本開示の態様に従った、処理の別の実施形態を例示するフローチャートである。ブロックＢ４００において、ユーザは、「スヌーズタイムアウト」を選択することができ、「スヌーズタイムアウト」は、動作が実行された後、例えば、通知が承認され、又は拒否／無視されるかのいずれかの後、ドアベル１３０が非活性化することがあり、又はそうでない場合、刺激（光、サウンド、若しくは熱の痕跡）に応答しないことがある期間である。例えば、ユーザは、１５分のスヌーズタイムアウトを設定することができる。ブロックＢ４０２において、物体は、ＰＩＲセンサ１４４の１つ以上の視野に移動する。ブロックＢ４０４において、マイクロコントローラ１６３は、ネットワークデバイスに要求を送信するように通信モジュール１６４をトリガしてもよい。ブロックＢ４０６において、ネットワークデバイスは、ユーザの無線ネットワーク１１０及びネットワーク１１２を通じて、ユーザのクライアントデバイス１１４にドアベル１３０を接続してもよい。ブロックＢ４０８において、ドアベル１３０によって捕捉された音声／ビデオデータは、ユーザのクライアントデバイス１１４にストリーミングされてもよい。ブロックＢ４１０において、ユーザは、要求を承認又は拒否／無視のいずれかをするようにユーザを促す通知を受信してもよい。要求が拒否又は無視される場合、ブロックＢ４１２ｂにおいて、音声／ビデオデータは次いで、クラウドサーバに記録及び記憶されてもよい。ドアベル１３０が記録を終了した後、物体は、ブロックＢ４１４においてＰＩＲセンサ１４４の視野に残ってもよい。ブロックＢ４１６において、マイクロコントローラ１６３は、ネットワークデバイスに別の要求をサブミットするように通信モジュール１６４をトリガする前に、「スヌーズ時間」が、例えば、１５分経過するのを待つ。スヌーズ時間が、例えば、１５分経過した後、処理は、ブロックＢ４０４に再度移動し、上記説明されたように続行する。ユーザがブロックＢ４１０において通知要求を承認するまで、このようにサイクルが続いてもよい。処理は次いで、ブロックＢ４１２ａに移動し、そこでは、ライブ音声及び／又はビデオデータがユーザのクライアントデバイス１１４上で表示され、それによって、ドアベル１３０の視点からのユーザ観察を可能にする。ユーザの要求において、接続が断たれてもよく、ブロックＢ４１８においてセッションが終了する。このポイントにおいて、ユーザは、処理がブロックＢ４１６に再度戻ることを選択することができ、それによって、スヌーズ時間、例えば、１５分が前のセッションの終わりから経過するまで更なる応答が存在しないことがあり、又はユーザは、処理がブロックＢ４０２に再度戻ることを選択することができ、物体がＰＩＲセンサ１４４の１つ以上によって認識される次の時に通知を受信することができる。一部の実施形態では、音声及び／又はビデオデータは、ユーザが通知を承認し、ユーザのクライアントデバイス１１４を通じて訪問者と通信する場合でさえ、クラウドサーバに記録及び記憶されてもよい（ブロックＢ４１２ｂ）。
【０１０５】
上記議論されたように、本開示は、Ａ／Ｖ記録及び通信ドアベルを含む方法及びシステムの多数の例を提供するが、本実施形態は、ドアベル以外のＡ／Ｖ記録及び通信デバイスに対して等しく適用可能である。例えば、本実施形態は、１つ以上のＡ／Ｖ記録及び通信ドアベルに代えて、又はそれに加えて、１つ以上のＡ／Ｖ記録及び通信セキュリティカメラを含んでもよい。例示的なＡ／Ｖ記録及び通信セキュリティカメラは、前方ボタン１３３、ボタンアクチュエータ、及び／又はライトパイプ１３６を有さないが、ドアベル１３０の構造及び機能性の全てを実質的に含んでもよい。例示的なＡ／Ｖ記録及び通信セキュリティカメラは更に、例えば、ブラケットＰＣＢ１４９及びその構成要素などの他の構成要素を省略してもよい。
【０１０６】
本実施形態は、ドアベルなどの無線Ａ／Ｖ記録及び通信デバイスと共に使用するように構成された無線スピーカデバイスを含む。スピーカを含む無線スピーカデバイスは、標準的なウォールコンセントに差し込まれてもよく、Ｗｉ−Ｆｉネットワークなどのユーザのローカルエリアネットワーク（ＬＡＮ）に接続してもよい。ＬＡＮは、インターネット及び／又は公衆交換電話網（ＰＳＴＮ）などのワイドエリアネットワーク（ＷＡＮ）に接続される。無線Ａ／Ｖ記録及び通信デバイスが訪問者を検出するとき、それは、ＬＡＮを介して、サーバ及び／又はサービスなど、ＷＡＮ内の少なくとも１つのデバイスに信号を送信する。それに応答して、ＷＡＮ内の少なくとも１つのデバイスは、ＬＡＮを介して、無線スピーカデバイスに信号を送信する。無線スピーカデバイスへの信号は、無線スピーカがそのスピーカを通じてトーンを発するためのコマンドを含む。無線スピーカデバイスは次いで、ユーザに訪問者が無線Ａ／Ｖ記録及び通信デバイスにいることを警告するために、そのスピーカを通じてトーンを発する。
【０１０７】
図２４〜２９は、無線Ａ／Ｖ記録及び通信デバイスについての無線スピーカデバイスの本実施形態の様々な態様を例示する。図２４は、例えば、本実施形態に従った、無線Ａ／Ｖ記録及び通信デバイスについての無線スピーカデバイスを含む無線Ａ／Ｖ記録及び通信ドアベルシステムを例示する機能ブロック図である。システムは、無線Ａ／Ｖ記録及び通信ドアベル１００、ユーザの無線ネットワーク１１０、ネットワーク１１２、ユーザのクライアントデバイス１１４、リモート記憶装置（複数可）１１６、並びにサーバ（複数可）１１８を含む、図１に示されたシステムと同一の構成要素の多くを含む。無線Ａ／Ｖ記録及び通信ドアベル１００は、図１０〜２３を参照して上記説明された無線Ａ／Ｖ記録及び通信ドアベル１３０と同様又は同一であってもよい。上記説明されたように、無線Ａ／Ｖ記録及び通信ドアベル１００は、他の実施形態では、セキュリティカメラなど、別のタイプの無線Ａ／Ｖ記録及び通信デバイスを含んでもよい。ユーザの無線ネットワーク１１０は、ＩＥＥＥ８０２．１１標準及び／又は他の無線通信標準（複数可）との互換性を有するＷｉ−Ｆｉネットワークなどのローカルエリアネットワーク（ＬＡＮ）を含んでもよい。ネットワーク１１２は、インターネット及び／又は公衆交換電話網（ＰＳＴＮ）などのワイドエリアネットワーク（ＷＡＮ）を含んでもよい。
【０１０８】
図２４のシステムは更に、無線スピーカデバイス５００を含む。図２５及び２６はそれぞれ、無線スピーカデバイス５００の例示的な実施形態の前面斜視図及び後面斜視図であり、図２７は、無線スピーカデバイス５００の例示的な実施形態の機能ブロック図である。図２５及び２６を参照すると、無線スピーカデバイス５００は、前側５０４（図２５）及び後側５０６（図２６）を有する筐体５０２を含む。例示される実施形態では、筐体５０２は、長方形の平行六面体として実質的に成形されるが、この形状は１つの例にすぎず、それに限定されない。筐体５０２は、図２７を参照して以下で説明されるように、全ての側面上で閉じられ、無線スピーカデバイス５００の様々な構成要素が位置する内部空間を囲む。筐体５０２は、様々なタイプのプラスチック（例えば、ポリカーボネート、アクリロニトリルブタジエンスチレン（ＡＢＳ）、ポリエチレンなど）など、好ましくは耐久性があり、非伝導性の（電気的に）任意の適切な材料から構築されてもよい。
【０１０９】
図２７を参照すると、無線スピーカデバイス５００は、プロセッサ５０８及び通信モジュール５１０を含む。プロセッサ５０８及び通信モジュール５１０は、図２７では単一の構成要素として例示されるが、代替的な実施形態では、プロセッサ５０８及び通信モジュール５１０は、別個の構成要素を含んでもよい。通信モジュール５１０は、アンテナ５１２を含み、ユーザの無線ネットワーク１１０を通じて無線信号を送信及び受信するための１つ以上の送受信機（図示せず）を含んでもよい。通信モジュール５１０はまた、別の無線デバイスへの直接接続を介してなど、ユーザの無線ネットワーク１１０とは独立して、１つ以上のデバイスに無線でデータを伝送し、及び／又は１つ以上のデバイスから無線でデータを受信するように構成されてもよい。１つの例では、無線スピーカデバイス５００は、Ｂｌｕｅｔｏｏｔｈ（登録商標）（又は、他の短距離無線プロトコル）接続を介して、ユーザのクライアントデバイス１１４と通信してもよい。
【０１１０】
代替的な実施形態では、無線スピーカデバイス５００は、ユーザの無線ネットワーク１１０及び／又はネットワーク１１２への有線接続のために構成されてもよい。例えば、無線スピーカデバイス５００は、イーサネット（登録商標）ケーブルなど、ケーブルのコネクタを受けるための１つ以上のポート（図示せず）を含んでもよい。そのような実施形態では、無線スピーカデバイス５００は、ケーブルを介して、ユーザの無線ネットワーク１１０のルータ、又は任意の他のネットワークデバイスに接続してもよい。イーサネット（登録商標）ケーブルを受けるように構成された実施形態では、無線スピーカデバイス５００は、パワーオーバイーサネット（登録商標）（ＰｏＥ）を介して電力が供給されてもよく、パワーオーバイーサネット（登録商標）では、接続されたイーサネット（登録商標）ケーブルを介して、データに沿って電力を渡すことができる。そのような実施形態では、ＡＣピン５１８が省略されてもよい。代わりに、無線スピーカデバイス５００は、ＡＣピン５１８及びＰｏＥ接続の両方を介して電力が供給されてもよい。
【０１１１】
プロセッサ５０８は、以下で説明されるように、データ処理及び様々な他の機能を実行してもよい。プロセッサ５０８は、プロセッサコア（図示せず）、揮発性メモリ５１４、不揮発性メモリ５１６、及び／又はプログラム可能入力／出力周辺機器（図示せず）を含む集積回路を含んでもよい。揮発性メモリ５１４は、例えば、ＤＤＲ３（ダブルデータレートタイプの３つの同期ダイナミックランダムアクセスメモリ）を含んでもよい。不揮発性メモリ５１６は、例えば、ＮＡＮＤフラッシュメモリを含んでもよい。図２７に例示される実施形態では、揮発性メモリ５１４及び不揮発性メモリ５１６は、プロセッサ５０８を表すボックス内で例示される。しかしながら、図２７に例示される実施形態は例にすぎず、一部の実施形態では、揮発性メモリ５１４及び／又は不揮発性メモリ５１６は、必ずしも物理的にプロセッサ５０８と共に組み込まれないことが理解されよう。揮発性メモリ５１４及び／又は不揮発性メモリ５１６は、それらの物理位置に関わらず、本無線スピーカデバイス５００の１つ以上の他の構成要素（プロセッサ５０８に加えて）によって共有されてもよい。
【０１１２】
図２７を続けて参照すると、無線スピーカデバイス５００は更に、無線スピーカデバイス５００が標準的なウォールコンセントに差し込まれることを可能にする、ＡＣ（交流電流）ピン５１８のペアを含む。図２６を参照すると、ＡＣピン５１８は、筐体５０２の後側５０６から外側に延在する。図２７を参照すると、無線スピーカデバイス５００は更に、ＡＣメイン電力をＤＣ（直流）に変換するＡＣ／ＤＣ整流器５２０を含み、ＤＣは次いで、無線スピーカデバイス５００に電力を供給するためにプロセッサ５０８に配信される。一部の実施形態はまた、整流器５２０とプロセッサ５０８との間でＤＣ−ＤＣ変換器（図示せず）を含んでもよい。ＤＣ−ＤＣ変換器は、整流器５２０から第１の電圧を入力として受信してもよく、プロセッサ５０８によって入力として受信された第２の電圧を出力として生成してもよい。
【０１１３】
図２７を続けて参照すると、無線スピーカデバイス５００は更に、デジタル−アナログ音声変換器５２４を通じてプロセッサ５０８に動作可能に接続されたスピーカ５２２を含む。図２５を参照すると、筐体５０２の前側５０４は、筐体５０２内に位置するスピーカ５２２から周辺環境へのサウンドの通りを促進する、少なくとも１つの開口５２６を含む。図２７を参照すると、無線スピーカデバイス５００は更に、ユーザが、機能しない場合のプロセッサ５０８及び／又は通信モジュール５１０をリセットすることを可能にする、リセットボタン５２８及びリセットロジック５３０を含む。図２５及び２６を参照すると、筐体５０２の側面５３２は、リセットボタン５２８へのアクセスを提供する小型開口５３４を含む。ペーパクリップなどの細い物体を挿入することによって、小型開口５３４を通じて、ユーザは、リセット処理を開始するためにリセットボタンを押圧することができる。
【０１１４】
図２７を参照すると、無線スピーカデバイス５００は更に、プロセッサ５０８に動作可能に接続されたＬＥＤ５３６（又は、別のタイプの照明デバイス）を含む。図２５を参照すると、ＬＥＤ５３６は、筐体５０２の前側５０４上に位置してもよい。ＬＥＤ５３６は、ユーザに、無線スピーカデバイス５００の現在の動作状態の視覚的インジケータを提供する。例えば、無線スピーカデバイス５００がウォールコンセントに差し込まれるとき、ＬＥＤ５３６は照らされてもよく、無線スピーカデバイス５００がフロントドアにおける訪問者に対してユーザを警告するように鳴動するとき、ＬＥＤ５３６は、設定されたパターンに従って点灯及び消灯してもよい。ＬＥＤ５３６の点滅又は閃光は特に、聞くことが困難なユーザ、例えば、訪問者がフロントドアにいるときに無線スピーカデバイス５００からのサウンドを聞くことができないユーザに対して有益であることがある。
【０１１５】
図２４を参照すると、無線Ａ／Ｖ記録及び通信ドアベルシステムは更に、ＡＰＩ５４０及び無線スピーカサービス５４２を含むバックエンドＡＰＩ５３８を含んでもよい。図２４は、バックエンドＡＰＩ５３８、ＡＰＩ５４０、及び無線スピーカサービス５４２をネットワーク１１２とは別個の構成要素として例示するが、バックエンドＡＰＩ５３８、ＡＰＩ５４０、及び／又は無線スピーカサービス５４２がネットワーク１１２の構成要素であると見なされてもよいことが理解されよう。それらの構成要素は、図２８を参照して説明され、図２８は、本実施形態に従った、無線Ａ／Ｖ記録及び通信ドアベル１００／１３０などの無線Ａ／Ｖ記録及び通信デバイス、ユーザの無線ネットワーク１１０などのローカルエリアネットワーク、ネットワーク１１２などのワイドエリアネットワーク、並びに無線スピーカデバイス５００などの無線スピーカデバイスの間で通信するシステム５４４を例示する機能ブロック図である。
【０１１６】
図２８のシステムは、１つ以上の構成要素を含む、バックエンドＡＰＩ５３８などのバックエンドＡＰＩを含んでもよい。バックエンドＡＰＩ（アプリケーションプログラミングインタフェース）は、例えば、サーバ（例えば、実サーバ、仮想マシン、若しくはクラウドインフラストラクチャ内でサービスとして稼働するマシン）、又は少なくとも１つのＡＰＩをそれにアクセスするクライアント（複数可）に公開する、共にネットワーク化された複数のサーバを含んでもよい。それらのサーバは、どの他の構成要素が含まれるかに応じて、キャッシュ層、データベース層、又は他の構成要素など、アプリケーションサーバ（例えば、ソフトウェアサーバ）などの構成要素を含んでもよい。バックエンドＡＰＩは、例えば、その各々がそれらのパブリックＡＰＩを使用して相互に通信する、多くのそのようなアプリケーションを含んでもよい。一部の実施形態では、ＡＰＩバックエンドは、ユーザデータの大部分を保持してもよく、ユーザ管理能力を供給してもよく、クライアントを非常に制限された状態を有するようにさせる。
【０１１７】
図２８に例示されるバックエンドＡＰＩ５３８は、ＡＰＩ５４０などの１つ以上のＡＰＩを含んでもよい。ＡＰＩは、ソフトウェア及びアプリケーションを構築するためのルーチン、プロトコル、及びツールのセットである。ＡＰＩは、その動作、入力、出力、及び基本的なタイプに関するソフトウェア構成要素を表し、インタフェースに影響を与えることなく定義及び実装態様が変わることを可能にする、それぞれの実装態様とは独立した機能性を定義する。有利なことに、ＡＰＩは、プログラマがアプリケーション自体を修正する必要なく、又はアプリケーションがどのように作用しているかをさえも理解する必要なく、プログラマにアプリケーションの機能性へのアクセスを提供することができる。ＡＰＩは、ウェブベースシステム、オペレーティングシステム、又はデータベースシステム用であってもよく、それは、所与のプログラミング言語を使用して、そのシステムについてのアプリケーションを開発するための設備を提供する。データベース、ハードディスクドライブのようなコンピュータハードウェア、又はビデオカードにアクセスすることに加えて、ＡＰＩは、プログラミンググラフィカルユーザインタフェース（ＧＵＩ）構成要素の作用を容易にすることができる。例えば、ＡＰＩは、既存のアプリケーションへの新たな特徴の統合（いわゆる「プラグインＡＰＩ」）を容易にすることができる。ＡＰＩはまた他に、共有データにより異なるアプリケーションを支援することができ、共有データは、アプリケーションの機能性を統合及び強化することを支援することができる。
【０１１８】
図２８に例示されるバックエンドＡＰＩ５３８は更に、無線スピーカサービス５４２など、１つ以上のサービス（ネットワークサービスとも称される）を含んでもよい。ネットワークサービスは、データ記憶、操作、提示、通信、及び／又は他の能力を提供するアプリケーションである。ネットワークサービスは、アプリケーション層ネットワークプロトコルに基づいて、クライアント−サーバアーキテクチャを使用して実施されることが多い。各々のサービスは、１つ以上のコンピュータ（複数のサービスを供給する専用サーバコンピュータなど）上で稼働するサーバ構成要素によって提供されてもよく、他のデバイス上で稼働するクライアント構成要素によってネットワークを介してアクセスされてもよい。しかしながら、クライアント及びサーバ構成要素は両方とも、同一のマシン上で稼働することができる。クライアント及びサーバは、ユーザインタフェース、及び時にそれらと関連付けられた他のハードウェアを有してもよい。
【０１１９】
図２８に例示されるバックエンドＡＰＩ５３８は、無線スピーカサービス５４２などの無線スピーカサービスを含む。無線スピーカサービス５４２は、無線スピーカデバイス５００などの複数の無線スピーカデバイスに関する情報を記憶した１つ以上の無線スピーカデータ構造５４６を含んでもよい。例えば、情報は、無線Ａ／Ｖ記録及び通信デバイス１００など、各々の無線スピーカデバイス並びに少なくとも１つの関連する無線Ａ／Ｖ記録及び通信デバイスに関する情報を含んでもよい。無線スピーカサービス５４２は、以下で更に説明されるように、どの無線スピーカデバイス（複数可）がバックエンドＡＰＩ５３８に訪問者検出信号５５０を送信する無線Ａ／Ｖ記録及び通信デバイスと関連付けられるかを判定することが必要とされるとき、無線スピーカデータ構造（複数可）５４６内の情報にアクセスしてもよい。無線スピーカサービス５４２はまた、無線スピーカデータ構造（複数可）５４６内で情報を維持してもよく、新たな無線スピーカデバイスが活性化されるとき、既存の無線スピーカデバイスが非活性化されるとき、並びに／又は既存の無線スピーカデバイスと無線Ａ／Ｖ記録及び通信デバイスとの間の関連付けが変更されるとき、無線スピーカデータ構造（複数可）５４６内の情報を更新してもよい。一部の実施形態では、無線スピーカサービス５４２は、無線スピーカデバイス５００との持続的な接続を有してもよい。持続的な接続は有利なことに、以下で更に説明されるように、無線スピーカサービス５４２と無線スピーカデバイス５００との間の待ち時間を減少させる。
【０１２０】
無線Ａ／Ｖ記録及び通信ドアベルと関連して本無線スピーカデバイス５００を使用するために、ユーザは、標準的なウォールコンセントに無線スピーカデバイス５００のＡＣピン５１８を差し込み、次いで、ユーザの無線ネットワーク１１０（図２４）に無線スピーカデバイス５００を接続する。ユーザは次いで、セットアップ処理を通じて案内されてもよく、セットアップ処理では、無線スピーカデバイス５００がユーザのドアベル１００と関連付けられ、関連付けがデータ構造に記憶され、その結果、訪問者がドアベルボタン１３３を押下するとき、システムは、どの無線スピーカデバイス５００を活性化するかを把握する。例えば、セットアップ処理は、ユーザのクライアントデバイス１１４上でアプリケーションを実行することを含んでもよい。無線スピーカデバイス５００が成功して無線ネットワーク１１０に接続された後、プロンプトがユーザのクライアントデバイス１１４上に表示されてもよい。プロンプトは、無線スピーカデバイス５００に関連付ける、ドアベル又はセキュリティカメラなどの無線Ａ／Ｖ記録及び通信デバイスを選択するようにユーザに要求することができる。ユーザが選択を行うとき、ユーザのクライアントデバイス１１４は、無線ネットワーク１１０及びネットワーク１１２を介して、バックエンドＡＰＩ５３８に信号を送信してもよく、無線スピーカサービス５４２は、無線スピーカデータ構造（複数可）５４６内の情報を更新してもよく、その結果、無線スピーカデバイス５００は、ユーザにより選択された無線Ａ／Ｖ記録及び通信デバイスと関連付けられる。後に、以下で更に説明されるように、動きイベント及び／又はボタン押下イベントがユーザにより選択された無線Ａ／Ｖ記録及び通信デバイスによって開始されるとき、無線スピーカサービス５４２は、関連する無線スピーカデバイス５００に信号を送信し、無線スピーカデバイス５００は、トーンを発する。
【０１２１】
ユーザの無線Ａ／Ｖ記録及び通信ドアベル１００はまた、無線ネットワーク１１０に接続される。以下で詳細に説明されるように、訪問者が無線Ａ／Ｖ記録及び通信ドアベル１００において検出されるとき、ドアベル１００は、無線ネットワーク１１０（ＬＡＮ）を介して、ＡＰＩ５４０（ＷＡＮ）に信号を送信する。ＡＰＩ５４０は次いで、無線スピーカサービス５４２に信号を送信し、無線スピーカサービス５４２は、ＬＡＮを介して無線スピーカデバイス５００に信号を送信する。無線スピーカデバイス５００は次いで、訪問者が無線Ａ／Ｖ記録及び通信ドアベル１００において検出された無線スピーカデバイス５００の聞こえる範囲内で、任意の人間（複数可）に警告するようにトーンを発する。上記説明されたように、一部の実施形態では、無線スピーカサービス５４２は、無線スピーカデバイス５００との持続的な接続を有してもよい。持続的な接続は有利なことに、無線スピーカサービス５４２と無線スピーカデバイス５００との間の待ち時間を減少させ、その結果、無線スピーカサービス５４２が無線スピーカデバイス５００にトーンを送信するとき、送信されているトーン信号５５４とそのスピーカ５２２からトーンを発する無線スピーカデバイス５００との間のいずれの遅延はほとんどない。例えば、持続的な接続を理由に、無線スピーカデバイス５００がトーン信号５５４を受信することができる前に、無線スピーカデバイス５００が無線スピーカサービス５４２上でそれ自体を再確立する必要性がない。
【０１２２】
図２８のシステムでは、及び図２９を参照すると、無線Ａ／Ｖ記録及び通信ドアベル１００は、ドアベル１００の視野内で訪問者を検出してもよい。例えば、無線Ａ／Ｖ記録及び通信ドアベル１００は、カメラ１０２、１３４、及び／若しくは動きセンサ（複数可）１４４を使用して動きを検出することによって、並びに／又は訪問者がＡ／Ｖ記録及び通信ドアベル１００／１３０上のボタン１３３を押圧したことを検出することによって、訪問者の存在を検出してもよい。訪問者を検出したことに応答して、無線Ａ／Ｖ記録及び通信ドアベル１００は、ＡＰＩ５４０に訪問者検出信号５５０（図２９）を送信してもよく、ＡＰＩ５４０は、無線Ａ／Ｖ記録及び通信ドアベル１００から訪問者検出信号５５０を受信してもよい。訪問者検出信号５５０は、感知された動きを介して、又はボタン押下を介して訪問者が検出されたかなど、訪問者−検出イベントに関する情報を含んでもよい。図２４及び２９を参照すると、無線Ａ／Ｖ記録及び通信ドアベル１００は、ＬＡＮとすることができるユーザの無線ネットワーク１１０、及びＷＡＮとすることができるネットワーク１１２を介して、ＡＰＩ５４０に訪問者検出信号５５０を送信する。
【０１２３】
図２８及び２９を参照すると、ＡＰＩ５４０は、無線Ａ／Ｖ記録及び通信ドアベル１００から訪問者検出信号５５０を受信したことに応答して、無線スピーカサービス５４２に無線スピーカ活性化信号５５２を伝送してもよく、無線スピーカサービス５４２は、ＡＰＩ５４０から無線スピーカ活性化信号５５２を受信してもよい。ＡＰＩ５４０から無線スピーカ活性化信号５５２を受信したことに応答して、無線スピーカサービス５４２は、無線スピーカデータ構造（複数可）５４６にアクセスしてもよく、無線スピーカ活性化信号５５２内の識別情報に基づいて、無線スピーカデバイス５００などの少なくとも１つの無線スピーカデバイス５００を判定してもよく、少なくとも１つの無線スピーカデバイス５００と、訪問者検出信号５５０を送信した無線Ａ／Ｖ記録及び通信ドアベル１００が関連付けられる。無線スピーカサービス５４２は次いで、無線スピーカデータ構造（複数可）５４６から判定された少なくとも１つの無線スピーカデバイス５００にトーン信号５５４を送信してもよく、少なくとも１つの無線スピーカデバイス５００は、無線スピーカサービス５４２からトーン信号５５４を受信してもよい。トーン信号５５４は、少なくとも１つの無線スピーカデバイス５００のスピーカ５２２からトーンを発するための、少なくとも１つの無線スピーカデバイス５００へのコマンドを含む。よって、無線スピーカサービス５４２からトーン信号５５４を受信したことに応答して、少なくとも１つの無線スピーカデバイス５００は、訪問者が無線Ａ／Ｖ記録及び通信ドアベル１００において検出されたスピーカ５２２の聞こえる範囲内で任意の人間（複数可）に通知するように、そのスピーカ５２２からトーンを発してもよい。
【０１２４】
上記説明されたように、一部の実施形態では、無線スピーカサービス５４２は、無線スピーカデバイス５００との持続的な接続を有してもよい。持続的な接続は有利なことに、無線スピーカサービス５４２と無線スピーカデバイス５００との間の待ち時間を減少させ、その結果、無線スピーカサービス５４２が無線スピーカデバイス５００にトーン信号５５４を送信するとき、送信されているトーン信号５５４とそのスピーカ５２２からトーンを発する無線スピーカデバイス５００との間でいずれの遅延はほとんどない。例えば、持続的な接続を理由に、無線スピーカデバイス５００がトーン信号５５４を受信することができる前に、無線スピーカデバイス５００が無線スピーカサービス５４２上でそれ自体を再確立する必要性がない。
【０１２５】
上記説明されたように、本実施形態は有利なことに、ドアベルなどの無線Ａ／Ｖ記録及び通信デバイスと共に使用するように構成された無線スピーカデバイスを提供する。スピーカを含む無線スピーカデバイスは、標準的なウォールコンセントに差し込まれてもよく、Ｗｉ−Ｆｉネットワークなどのユーザのローカルエリアネットワーク（ＬＡＮ）に接続してもよい。ＬＡＮは、インターネット及び／又は公衆交換電話網（ＰＳＴＮ）などのワイドエリアネットワーク（ＷＡＮ）に接続される。無線Ａ／Ｖ記録及び通信デバイスが訪問者を検出するとき、それは、ＬＡＮを介して、サーバ及び／又はサービスなど、ＷＡＮ内の少なくとも１つのデバイスに信号を送信する。それに応答して、ＷＡＮ内の少なくとも１つのデバイスは、ＬＡＮを介して、無線スピーカデバイスに信号を送信する。無線スピーカデバイスへの信号は、無線スピーカデバイスがそのスピーカを通じてトーンを発するためのコマンドを含む。無線スピーカデバイスは次いで、ユーザに訪問者が無線Ａ／Ｖ記録及び通信デバイスにいることを警告するために、そのスピーカを通じてトーンを発する。
【０１２６】
一部の実施形態では、無線スピーカ活性化信号５５２及び／又はトーン信号５５４は、無線スピーカデバイス５００のスピーカ５２２によって発されることになるトーンのタイプに関する情報を含んでもよい。例えば、トーンのタイプは、処理を開始した訪問者の検出のタイプに依存してもよい。訪問者が動きを介して検出された場合、第１のタイプのトーンがスピーカ５２２によって発せされてもよく、無線スピーカ活性化信号５５２及び／又はトーン信号５５４は、第１のタイプのトーンを発するための、無線スピーカデバイス５００へのコマンドを含んでもよい。訪問者がボタン押下を介して検出された場合、第２のタイプのトーンは、スピーカ５２２によって発せされてもよく、無線スピーカ活性化信号５５２及び／又はトーン信号５５４は、第２のタイプのトーンを発するための、無線スピーカデバイス５００へのコマンドを含んでもよい。様々なタイプのトーンは、無線スピーカデバイス５００の不揮発性メモリ５１６に記憶されてもよい。任意の数の異なるトーンは、無線スピーカデバイス５００に記憶されてもよい。上記説明された第１及び第２のタイプは、非限定的な例にすぎない。
【０１２７】
一部の実施形態では、無線スピーカデバイス５００のスピーカ５２２によって発せられたトーンは、ユーザによって構成可能であってもよい。例えば、ユーザのクライアントデバイス１１４上で実行するアプリケーションは、メニューを表示してもよく、メニューから、ユーザは、複数の異なるトーンから選択することができる。トーンは、製造の時点において無線スピーカデバイス５００に記憶されてもよい。代わりに、又は加えて、トーンは、不揮発性メモリ５１６においてなど、無線スピーカデバイス５００にダウンロード及び記憶されてもよい。例えば、ユーザは、クライアントデバイス１１４を使用して、バックエンドＡＰＩ５３８においてなど、ネットワーク１１２内の１つ以上のサーバに記憶されたトーンにアクセスしてもよい。ユーザは、ネットワーク１１２から１つ以上のトーンを選択することができ、無線ネットワーク１１０及びプロセッサ／通信モジュール５０８／５１０を介して、無線スピーカデバイス５００にそれらをダウンロードすることができる。代わりに、又は加えて、ユーザは、無線ネットワーク１１０及びプロセッサ／通信モジュール５０８／５１０を介して、クライアントデバイス１１４から無線スピーカデバイス５００にトーンを転送してもよい。
【０１２８】
一部の実施形態では、無線スピーカデバイス５００のスピーカ５２２によって発せられたトーンは、複数の異なる無線Ａ／Ｖ記録及び通信デバイスのうちのどれが訪問者検出信号５５０を生成したかに応じて変わってもよい。例えば、無線スピーカデバイス５００は、１つよりも多い無線Ａ／Ｖ記録及び通信デバイスと関連付けられてもよい。次いで、無線スピーカデバイス５００は、無線スピーカデバイス５００と関連付けられた第１の無線Ａ／Ｖ記録及び通信デバイスによって訪問者検出信号５５０が生成されるとき、第１のタイプのトーンを発してもよく、無線スピーカデバイス５００は、無線スピーカデバイス５００と関連付けられた第２の無線Ａ／Ｖ記録及び通信デバイスによって訪問者検出信号５５０が生成されるとき、第２のタイプのトーンを発してもよい。無線スピーカデバイス５００は、任意の数の無線Ａ／Ｖ記録及び通信デバイスと関連付けられてもよい。上記説明された第１及び第２の関連付けられた無線Ａ／Ｖ記録及び通信デバイスは、非限定的な例にすぎない。
【０１２９】
代替的な実施形態では、無線スピーカデバイス５００は、動きセンサ（図示せず）を含んでもよい。無線スピーカデバイス５００の動きセンサが動きを検出するとき、無線スピーカデバイス５００は、バックエンドＡＰＩ５３８に信号を送信してもよい。信号は、上記説明された訪問者検出信号５５０と同様であってもよい。無線スピーカデバイス５００から信号を受信したことに応答して、バックエンドＡＰＩ５３８は、１つ以上の接続されたデバイスに、無線スピーカデバイス５００によって動きが検出されたことをユーザに警告するための信号を送信してもよい。例えば、バックエンドＡＰＩ５３８は、ユーザのクライアントデバイス１１４に信号を送信してもよい。
【０１３０】
代替的な実施形態では、無線スピーカデバイス５００は、マイクロフォン（図示せず）を含んでもよい。そのような実施形態では、ユーザは、無線スピーカデバイス５００のマイクロフォン及びスピーカ５２２を使用して、無線スピーカデバイス５００並びに無線Ａ／Ｖ記録及び通信デバイスを通じて訪問者と通信してもよい。
【０１３１】
一部の実施形態では、無線スピーカデバイス５００は、別の無線デバイスからのストリーミング音声を再生する能力を有することができる。例えば、無線スピーカデバイス５００は、Ｂｌｕｅｔｏｏｔｈ（登録商標）接続を介して、ユーザのクライアントデバイス１１４から無線音声信号を受信してもよく、無線スピーカデバイス５００は、スピーカ５２２を介して音声を再生してもよい。
【０１３２】
図３０及び３１はそれぞれ、無線スピーカデバイス６００の別の例示的な実施形態の前面斜視図及び後面斜視図であり、図３２は、図３０及び３１の無線スピーカデバイス６００の機能ブロック図である。図３０〜３２の無線スピーカデバイス６００は、図３０〜３２を参照すると、前側６０４（図３０）及び後側６０６（図３１）を有する筐体６０２、プロセッサ６０８（図３２）、通信モジュール６１０、ＡＣ（交流電流）ピン５１８のペア、ＡＣ／ＤＣ整流器５２０、スピーカ５２２、デジタル−アナログ音声変換器５２４、筐体６０２内に位置するスピーカ５２２から周辺環境へのサウンドの通りを促進する筐体６０２の前側６０４内の少なくとも１つの開口６１２、リセットボタン５２８、リセットロジック５３０、リセットボタン５２８へのアクセスを提供する筐体６０２の側面６１６内の小型開口６１４、及びＬＥＤ５３６を含む、図２５〜２７の対応する構成要素に構造及び／又は機能において類似するいくつかの構成要素を含む。再度、それらの構成要素の多くは、図２５〜２７の構成要素に構造及び／又は機能において類似する。したがって、以下の説明は、図２５〜２７の構成要素とは異なるそれらの構成要素の態様に焦点を当てる。
【０１３３】
図２７に示される実施形態とは対照的に、図３２に示される実施形態では、プロセッサ６０８及び通信モジュール６１０は、別個の構成要素として例示され、揮発性メモリ６１８及び不揮発性メモリ６２０は、プロセッサ６０８及び通信モジュール６１０の両方とは別個に例示される。通信モジュール６１０は、第１及び第２のアンテナ６２２（図３０及び３１にも示される）を含み、ユーザの無線ネットワーク１１０を通じて無線信号を送信及び受信するための１つ以上の送受信機（図示せず）を含んでもよい。通信モジュール６１０はまた、別の無線デバイスへの直接接続を介してなど、ユーザの無線ネットワーク１１０とは独立して、１つ以上のデバイスに無線でデータを伝送し、及び／又は１つ以上のデバイスから無線でデータを受信するように構成されてもよい。１つの例では、無線スピーカデバイス６００は、他の無線デバイスへの無線スピーカデバイス６００の近接性に応じて、Ｂｌｕｅｔｏｏｔｈ（登録商標）（又は、他の短距離無線プロトコル）接続を介して、ユーザのクライアントデバイス１１４などの別の無線デバイスと通信してもよい。よって、通信モジュール６１０は、無線スピーカデバイス６００がＷｉ−Ｆｉ（ＩＥＥＥ８０２．１１）、Ｂｌｕｅｔｏｏｔｈ（登録商標）、ＺｉｇＢｅｅ（登録商標）（ＩＥＥＥ８０２．１５．４）、又は任意の他のプロトコルなどの様々なデータ伝送プロトコルを通じて無線で通信することを可能にする、１つ以上のチップ（集積回路）などの構成要素（複数可）を含んでもよい。
【０１３４】
代替的な実施形態では、無線スピーカデバイス６００は、ユーザの無線ネットワーク１１０及び／又はネットワーク１１２への有線接続のために構成されてもよい。例えば、無線スピーカデバイス６００は、イーサネット（登録商標）ケーブルなどのケーブルのコネクタを受けるための１つ以上のポート（図示せず）を含んでもよい。そのような実施形態では、無線スピーカデバイス６００は、ケーブルを介して、ユーザの無線ネットワーク１１０のルータ、又は任意の他のネットワークデバイスに接続してもよい。イーサネット（登録商標）ケーブルを受けるように構成された実施形態では、無線スピーカデバイス６００は、パワーオーバイーサネット（ＰｏＥ）を介して電力が供給されてもよく、パワーオーバイーサネット（登録商標）では、接続されたイーサネット（登録商標）ケーブルを介して、データに沿って電力を渡すことができる。そのような実施形態では、ＡＣピン５１８が省略されてもよい。代わりに、無線スピーカデバイス６００は、ＡＣピン５１８及びＰｏＥ接続の両方を介して電力が供給されてもよい。
【０１３５】
図３２を更に参照すると、プロセッサ６０８は、以下で説明されるように、データ処理及び様々な他の機能を実行してもよい。プロセッサ６０８は、プロセッサコア（図示せず）及び／又はプログラム可能入力／出力周辺機器（図示せず）を含む集積回路を含んでもよい。プロセッサ６０８は、揮発性メモリ６１８及び／又は不揮発性メモリ６２０にアクセスしてもよい。揮発性メモリ６１８は、例えば、ＤＤＲ３（ダブルデータレートタイプの３つの同期ダイナミックランダムアクセスメモリ）を含んでもよい。不揮発性メモリ６２０は、例えば、ＮＡＮＤフラッシュメモリを含んでもよい。図３２に例示される実施形態では、揮発性メモリ６１８及び不揮発性メモリ６２０は、プロセッサ６０８とは別個の構成要素として例示される。しかしながら、図３２に例示される実施形態は例にすぎず、一部の実施形態では、揮発性メモリ６１８及び／又は不揮発性メモリ６２０は、必ずしも物理的にプロセッサ６０８とは別個ではないことが理解されよう。揮発性メモリ６１８及び／又は不揮発性メモリ６２０は、それらの物理位置に関わらず、本無線スピーカデバイス６００の１つ以上の他の構成要素（プロセッサ６０８に加えて）によって共有されてもよい。
【０１３６】
図３２を続けて参照すると、無線スピーカデバイス６００の通信モジュール６１０は更に、無線リピータ６２４（無線範囲エキステンダとも称されてもよい）を含んでもよい。無線リピータ６２４は、ユーザの無線ネットワーク１１０内の無線ルータ（又は、別のネットワークデバイス）から無線信号を受信し、信号を再ブロードキャストするように構成される。無線ルータのブロードキャスト範囲内になく、又は単に無線ルータから無線信号を弱く受信する無線デバイスは、無線スピーカデバイス６００から再ブロードキャストされた信号を受信してもよく、よって、無線スピーカデバイス６００を通じてユーザの無線ネットワーク１１０に接続してもよい。一部の実施形態では、無線リピータ６２４は、データを伝送及び受信し、例えば、Ｗｉ−Ｆｉ（ＩＥＥＥ８０２．１１）、ＷｉＭＡＸ（ＩＥＥＥ８０２．１６）、又は任意の他のプロトコル及び／若しくは技術など、１つ以上のプロトコル及び／又は技術を使用することができる１つ以上の送受信機モジュール（図示せず）を含んでもよい。
【０１３７】
上記説明されたように、通信モジュール６１０は、第１及び第２のアンテナ６２２（図３０〜３２）を含み、無線信号を送信及び受信するための１つ以上の送受信機（図示せず）を含んでもよい。第１及び第２のアンテナ６２２は、無線スピーカデバイス６００が多入力多出力（ＭＩＭＯ）を介して無線で通信することを可能にする。ＭＩＭＯは、マルチパス伝播を利用するために複数の伝送及び受信アンテナを使用して、無線リンクの能力を増大させるための技術である。図３１及び３２に示されるように、第１及び第２のアンテナ６２２は、無線スピーカデバイス６００の筐体６０２の反対側面から延在してもよい。しかしながら、例示される構成は１つの例にすぎず、それに限定されない。第１及び第２のアンテナ６２２は、筐体６０２に対して固定又は移動可能であってもよい。例えば、第１及び第２のアンテナ６２２は、筐体６０２を通じて両方のアンテナ６２２に垂直に延在する軸の周りを枢動可能であってもよい。
【０１３８】
通信モジュール６１０はまた、別の無線デバイスへの直接接続を介してなど、ユーザの無線ネットワーク１１０とは独立して、１つ以上のデバイスに無線でデータを伝送し、及び／又は１つ以上のデバイスから無線でデータを受信するように構成されてもよい。１つの例では、無線スピーカデバイス６００は、他の無線デバイスへの無線スピーカデバイス６００の近接性に応じて、Ｂｌｕｅｔｏｏｔｈ（登録商標）（又は、他の短距離無線プロトコル）接続を介して、ユーザのクライアントデバイス１１４などの別の無線デバイスと通信してもよい。よって、通信モジュール６１０は、無線スピーカデバイス６００がＷｉ−Ｆｉ（登録商標）（ＩＥＥＥ８０２．１１）、Ｂｌｕｅｔｏｏｔｈ（登録商標）、ＺｉｇＢｅｅ（登録商標）（ＩＥＥＥ８０２．１５．４）、又は任意の他のプロトコルなどの様々なデータ伝送プロトコルを通じて無線で通信することを可能にする、１つ以上のチップ（集積回路）など、１つ以上のモジュール（複数可）又は構成要素（複数可）を含んでもよい。
【０１３９】
様々な実施形態では、無線スピーカデバイス６００は、１つ以上の他の無線デバイスを無線で制御するために使用されてもよい。例示的な無線で制御可能なデバイスの非包括的及び非限定的なリストは、電子ロック、アラーム、アラーム監視システム、セキュリティシステム、ガレージドアオープナ、電機ゲート、自動セキュリティゲート、テレビ、カメラ、ビデオストリーミングデバイス、ビデオ記録及びビデオ受信デバイス、デジタルビデオレコーダ、デジタルビデオストリーミングデバイス、無線対応電機プラグコンセント、照明システム、ライト、光センサ及びスイッチ、光スイッチ、照明制御パネル、電球、電球についての固定具、又は任意の他のタイプの無線で制御可能なデバイス若しくは構成要素を含む。
【０１４０】
様々な実施形態では、他のデバイスは、ユーザの無線ネットワーク１１０を通じて送信された信号、無線スピーカデバイス６００と１つ以上の他の無線デバイスとの間で直接送信された信号、又はそのような信号の任意の組み合わせにより、無線スピーカデバイス６００を通じて無線で制御されてもよい。例えば、図３３を参照すると、ユーザのクライアントデバイス１１４上で実行するアプリケーションは、ユーザが無線スピーカデバイス６００を介してユーザのクライアントデバイス１１４と他の無線デバイス６２６との間で送信された信号により別の無線デバイス６２６を制御することを可能にすることができる。１つの例では、ユーザのクライアントデバイス１１４及び無線スピーカデバイス６００は、Ｂｌｕｅｔｏｏｔｈ（登録商標）接続（又は、近接近したデバイスの間で相互に近距離を通じてデータを交換するための別の無線技術標準）を通じてなど、信号６２８を相互に直接送信してもよく、無線スピーカデバイス６００及び他の無線デバイス６２６は、Ｂｌｕｅｔｏｏｔｈ（登録商標）接続（又は、近接近したデバイスの間で相互に近距離を通じてデータを交換するための別の無線技術標準）を通じてなど、信号６３０を相互に直接送信してもよい。別の例では、ユーザのクライアントデバイス１１４及び無線スピーカデバイス６００は、Ｗｉ−Ｆｉ（登録商標）ネットワーク（又は、別の無線技術標準）などのユーザの無線ネットワーク１１０を介して信号６３２、６３４を相互に送信してもよく、無線スピーカデバイス６００及び他の無線デバイス６２６は、ユーザの無線ネットワーク１１０を介して信号６３６、６３４を相互に送信してもよい。更なる別の例では、ユーザのクライアントデバイス１１４、無線スピーカデバイス６００、及び他の無線デバイス６２６は、それらの信号６２８、６３０、６３２、６３４、６３６の混合を介して信号を相互に送信してもよい。例えば、ユーザのクライアントデバイス１１４及び無線スピーカデバイス６００は、信号６２８を介して相互に直接通信してもよく、無線スピーカデバイス６００及び他の無線デバイス６２６は、ユーザの無線ネットワーク１１０を通じて送信された信号６３４、６３６を介して相互に通信してもよい。代わりに、ユーザのクライアントデバイス１１４及び無線スピーカデバイス６００は、ユーザの無線ネットワーク１１０を通じて送信された信号６３２、６３４を介して相互に通信してもよく、無線スピーカデバイス６００及び他の無線デバイス６２６は、信号６３０を介して相互に直接通信してもよい。
【０１４１】
図３２を参照すると、無線スピーカデバイス６００は更に、１つ以上の認証モジュール６３８を含んでもよい。認証モジュール６３８は、無線スピーカデバイス６００と１つ以上の他の電子デバイスとの間の機能性を認証するように構成された集積回路を含んでもよい。１つの非限定的な例では、認証モジュール６３８は、無線スピーカデバイス６００とＡｐｐｌｅ  Ｉｎｃ．によって作成された１つ以上の他の電子デバイスとの間の機能性を認証するように構成されたＭＦｉ（「ｉＰｈｏｎｅ（登録商標）／ｉＰｏｄ（登録商標）／ｉＰａｄ（登録商標）のために作成された」）チップを含んでもよい。
【０１４２】
図３４〜３７は、本開示に従った、無線ネットワークに本無線スピーカデバイス６００を接続し、本無線スピーカデバイス６００に１つ以上の無線デバイスを接続する処理の実施形態を例示する。図３４を参照すると、ユーザのクライアントデバイス１１４は最初に、ユーザの無線ネットワーク１１０に接続されてもよく（両矢印６４０によって示されるように）、無線スピーカデバイス６００は、任意の他のデバイス又はネットワークに接続されず、電力をオフにされてもよい。一部の実施形態では、ユーザの無線ネットワーク１１０に無線スピーカデバイス６００を接続する処理は、ユーザのクライアントデバイス１１４上で実行するアプリケーションによって容易にされてもよい。ユーザの無線ネットワーク１１０に無線スピーカデバイス６００を接続する他の処理は、アプリケーションを参照する以下の説明を明確にするために、ユーザのクライアントデバイス１１４上で実行するそのようなアプリケーションを含まなくてもよい。
【０１４３】
ユーザのクライアントデバイス１１４上で実行するアプリケーションは、無線スピーカデバイス６００の電力をオンにするようにユーザを促すことができる。その後、無線スピーカデバイス６００は、標準的なウォールコンセントにＡＣピン５１８を差し込むことによってなど、電力をオンにされてもよい。無線スピーカデバイス６００は次いで、ＡＰ（アクセスポイント）モードにあってもよく、ＡＰモードでは、それは、無線プロビジョニングビーコンをブロードキャストする。プロビジョニングビーコンは、他の無線デバイスに、無線スピーカデバイス６００が無線アクセスポイントであることを示すブロードキャスト無線信号である。プロビジョニングビーコンは、ＳＳＩＤ（サービスセット識別子）などの識別情報を含む。プロビジョニングビーコンはまた、無線アクセスポイントのセキュリティが開放されている（無線アクセスポイントに接続するためにパスワードが必要とされない）ことを示してもよい。
【０１４４】
ユーザのクライアントデバイス１１４上で実行するアプリケーションは、アプリケーションを終了し、ユーザの無線ネットワーク１１０からユーザのクライアントデバイス１１４を切断し、無線スピーカデバイス６００の無線アクセスポイントにユーザのクライアントデバイス１１４を接続するようにユーザを促すことができる。図３５を参照すると、ユーザのクライアントデバイス１１４は次いで、ユーザの無線ネットワーク１１０から切断してもよく、無線スピーカデバイス６００の無線アクセスポイントに接続してもよい（両矢印６４２によって示されるように）。ユーザのクライアントデバイス１１４は次いで、無線スピーカデバイス６００に、無線ルータなど、ユーザの無線ネットワーク１１０内のネットワークデバイスについての認証情報を伝送してもよい。ユーザのクライアントデバイス１１４が前にユーザの無線ネットワーク１１０に接続されたことを理由に、それは、そのメモリ（又は、記憶装置）に無線ルータ（又は、別のネットワークデバイス）についての認証情報を記憶していることがある。ネットワークデバイスについての認証情報は、ＳＳＩＤなどのネットワークデバイスについての識別子、及び／又はネットワークデバイスに接続するためにパスワードが必要とされる場合にパスワードを含んでもよい。
【０１４５】
図３６を参照すると、無線スピーカデバイス６００は次いで、ユーザのクライアントデバイス１１４によって提供された認証情報を使用して、ユーザの無線ネットワーク１１０内のネットワークデバイスに接続してもよい（両矢印６４４によって示されるように）。無線スピーカデバイス６００は次いで、ユーザの無線ネットワーク１１０及び／又はネットワーク１１２を介してバックエンドＡＰＩ５３８と通信してもよい。バックエンドＡＰＩ５３８は、無線スピーカデバイス６００についての認証情報を生成し、無線スピーカデバイス６００に生成された認証情報を伝送してよい。認証情報は、以下で説明されるように、プロビジョニングビーコンが無効にされた後、無線リピータ６２４（及び、無線アクセスポイント）として動作している無線スピーカデバイス６００に役立つことができる。無線スピーカデバイス６００についての認証情報は、以下で説明されるように、ＳＳＩＤなどの無線スピーカデバイス６００についての識別子、及び／又は無線スピーカデバイス６００がリピータモードに遷移した後に無線スピーカデバイス６００に接続するために他のデバイスが提供することが必要とされるパスワードを含んでもよい。パスワードは、Ｗｉ−Ｆｉ保護アクセス（ＷＰＡ）、Ｗｉ−Ｆｉ保護アクセスＩＩ（ＷＰＡ２）、有線同等プライバシ（ＷＥＰ）、又は任意の他のセキュリティプロトコルなど、任意の適切なセキュリティプロトコルを含んでもよい。
【０１４６】
無線スピーカデバイス６００がバックエンドＡＰＩ５３８から認証情報を受信した後、無線スピーカデバイス６００は、プロビジョニングビーコンを無効にして、リピータモードに遷移してもよい。図３７を参照すると、リピータモードでは、無線スピーカデバイス６００は、ユーザの無線ネットワーク１１０内の無線アクセスポイント（例えば、ルータ）に接続され（両矢印６４４によって示されるように）、また、他の無線デバイスについての無線アクセスポイントを提供する。この構成では、無線スピーカデバイス６００は、ユーザの無線ネットワーク１１０内で無線アクセスポイント（例えば、ルータ）との局（無線クライアント又はノードとも称される）の接続を維持することができ、また、他の無線デバイスについての無線アクセスポイントを提供することができる。例えば、図３７に示されるように、無線Ａ／Ｖ記録及び通信ドアベル１００は、無線スピーカデバイス６００によって提供された無線アクセスポイントに接続してもよい（破線の両矢印６４６によって示されるように）。例えば、無線スピーカデバイス６００が、ユーザの無線ネットワーク１１０内の無線アクセスポイント（例えば、ルータ）によって提供された信号と比較して、無線Ａ／Ｖ記録及び通信ドアベル１００により強い信号を提供する場合、無線Ａ／Ｖ記録及び通信ドアベル１００は、無線スピーカデバイス６００を介してユーザの無線ネットワーク１１０に接続してもよい。リピータモードでは、無線スピーカデバイス６００は、無線スピーカデバイス６００によって提供された無線アクセスポイントの存在を告知するために、ビーコンフレームを定期的にブロードキャストしてもよい。
【０１４７】
上記説明されたように、バックエンドＡＰＩ５３８は、無線スピーカデバイス６００についての認証情報を生成してもよく、無線スピーカデバイス６００に生成された認証情報を伝送してもよい。一部の実施形態では、無線スピーカデバイス６００について生成された識別子（例えば、ＳＳＩＤ）は、各々のユーザに対して一意であってもよく、それは有利なことに、隣接するユーザが相互の帯域幅を使用することを防止する。一部の実施形態では、それにも関わらず、同一のユーザに属する複数の無線スピーカデバイス６００が同一の（又は、同様の）認証情報を受信することができる。よって、所与のユーザが１つよりも多い無線スピーカデバイス６００を有する場合、バックエンドＡＰＩ５３８は、ユーザが１つよりも多い無線スピーカデバイス６００を有することを認識することができ、ユーザの既存の無線スピーカデバイス（複数可）６００の認証情報への１つ以上の事項において類似する新たに接続された無線スピーカデバイス６００についての認証情報を生成することができる。例えば、２つ以上の無線スピーカデバイス６００が同一の識別子及び／又はパスワードを有する場合、無線スピーカデバイス６００は、ローミングネットワークを形成してもよく、ローミングネットワークでは、２つ以上の無線スピーカデバイス６００が、同一の（又は、同様の）認証情報を有する複数の無線アクセスポイントを提供する。ローミングネットワークでは、無線デバイスは、同一の（又は、同様の）認証情報を有する無線アクセスポイントのいずれかに接続してもよく、その結果、所与の無線デバイスは、例えば、その現在の位置においてその無線デバイスに最も強い信号を提供するいずれかの無線アクセスポイントに接続することができる。無線デバイスが第１の位置から第２の位置に移動し、第１の無線アクセスポインが第１の位置において最も強い信号を提供するが、第２の無線アクセスポイントが第２の位置において最も強い信号を提供する場合、第１及び第２の無線アクセスポイントが同一の（又は、同様の）認証情報を有することを理由に、無線デバイスは、ユーザ介入に対するいかなる必要もなく、第１の無線アクセスポイントから第２の無線アクセスポイントに容易に切り替えることができる。よって、ローミングネットワークは、各々の無線デバイスがローミングネットワーク内の任意の所与の位置において最良の利用可能な無線信号を享受し、無線デバイスの位置などの１つ以上の条件が変化するにつれて、１つの無線アクセスポイントから別の無線アクセスポイントに容易に遷移することを可能にする。
【０１４８】
一部の実施形態では、ローミングネットワークは、少なくともユーザの無線ネットワーク１１０内の無線アクセスポイント（例えば、ルータ）が、ローミングネットワーク内の無線スピーカデバイス（複数可）６００とは異なる識別子（例えば、ＳＳＩＤ）及び／又はパスワードを有することがあることを理由に、ユーザの無線ネットワーク１１０内で無線アクセスポイント（例えば、ルータ）を含まなくてもよい。しかしながら、一部の実施形態では、ユーザの無線ネットワーク１１０内の無線アクセスポイント（例えば、ルータ）は、代替的な無線アクセスポイントとして無線デバイスに対して利用可能であってもよい。例えば、ローミングネットワーク内の無線スピーカデバイス（複数可）６００の認証情報とは異なる場合の、ユーザの無線ネットワーク１１０内の無線アクセスポイント（例えば、ルータ）の認証情報は、ローミングネットワークに接続する無線デバイスに提供されてもよい。そのような実施形態では、ユーザの無線ネットワーク１１０内の無線アクセスポイント（例えば、ルータ）は、無線スピーカデバイス（複数可）６００のアクセスポイント（複数可）が利用可能でない場合に、代替的なアクセスポイントとしてそのような無線デバイスに対して利用可能であってもよい。
【０１４９】
一部の実施形態では、無線スピーカデバイス６００について生成された識別子は、無線スピーカデバイス６００が接続されたユーザの無線ネットワーク１１０内の無線アクセスポイント（例えば、ルータ）と関連付けられた識別子（例えば、ＳＳＩＤ）の機能であってもよい。例えば、無線スピーカデバイス６００について生成された識別子は、無線スピーカデバイス６００が接続されたユーザの無線ネットワーク１１０内の無線アクセスポイント（例えば、ルータ）と関連付けられた識別子（例えば、ＳＳＩＤ）と同一であってもよい。別の例では、無線スピーカデバイス６００について生成された識別子は、無線スピーカデバイス６００が接続されたユーザの無線ネットワーク１１０内の無線アクセスポイント（例えば、ルータ）と関連付けられた識別子（例えば、ＳＳＩＤ）と同様であってもよいが、同一ではない。そのような実施形態では、ユーザの無線ネットワーク１１０内の異なるデバイス及び／又は位置は、相互に区別されてもよい。
【０１５０】
一部の実施形態では、無線スピーカデバイス６００について生成されたパスワード、及び無線スピーカデバイス６００について生成された識別子に対応するパスワードは、バックエンドＡＰＩ５３８によってランダムに生成されてもよい。また、一部の実施形態では、無線スピーカデバイス６００についてバックエンドＡＰＩ５３８によって生成されたパスワードがランダムに生成されるか否かに関わらず、パスワードは、ユーザに対してアクセス可能でないことがある。この態様は、無線リピータ６２４として動作しているとき、無線スピーカデバイス６００に接続することを試みる他の無線デバイスを認証することを容易にすることができる。例えば、別の無線デバイスが無線スピーカデバイス６００に接続することを試みるとき（無線リピータ６２４として動作しているとき）、無線スピーカデバイス６００は、無線スピーカデバイス６００に接続することを試みている無線デバイスから識別子を受信してもよい。例えば、ＳＳＩＤ、ＭＡＣ（媒体アクセス制御）アドレスなどとすることができる識別子に基づいて、無線スピーカデバイス６００は、他の無線デバイスに接続してもよく、又は他の無線デバイスへの接続を拒否してもよい。例えば、それに限定されないが、無線スピーカデバイス６００（及び／又は、バックエンドＡＰＩ５３８などのネットワークデバイス）は、既知の識別子のリストに、無線スピーカデバイス６００に接続することを試みている無線デバイスからの識別子を比較してもよい。無線スピーカデバイス６００に接続することを試みている無線デバイスからの識別子が既知の識別子のリスト上にある場合、無線デバイスは、無線スピーカデバイス６００に接続することを許可されてもよい。別の例では、無線スピーカデバイス６００（及び／又は、バックエンドＡＰＩ５３８などのネットワークデバイス）は、無線スピーカデバイス６００に接続することを試みている無線デバイスから、識別子内の既知の文字又は一連の文字を探索してもよい。既知の文字又は一連の文字が無線デバイスからの識別子に存在する場合、無線デバイスは、無線スピーカデバイス６００に接続することを許可されてもよい。
【０１５１】
代替的な実施形態では、無線スピーカデバイス６００に接続することを試みている別の無線デバイスを認証する処理は、ハンドシェイクを含んでもよい。例えば、無線スピーカデバイス６００は、他の無線デバイスに認証要求を送信してもよく、他の無線デバイスが無線スピーカデバイス６００に予測される応答を送信する場合のみ、他の無線デバイスが接続することを許可してもよい。無線スピーカデバイス６００が成功して他の無線デバイスを認証し、他の無線デバイスを接続する場合、無線スピーカデバイス６００は、他の無線デバイスに、無線スピーカデバイス６００についてバックエンドＡＰＩ５３８によって生成されたパスワードを伝送してもよい。他の無線デバイスが無線スピーカデバイス６００に接続することを許可される前に認証を必要とすることによって、本実施形態は有利なことに、セキュリティを強化する。更に、本実施形態は有利なことに、いかなるユーザ介入も必要とすることなく、この増強されたセキュリティを提供し、よって、ユーザ経験を高度化する。
【０１５２】
図３８〜４０は、本開示に従った、本無線スピーカデバイス６００に１つ以上の無線デバイスを接続する処理の実施形態を例示する。例示される実施形態では、無線スピーカデバイス６００に接続されることになる無線デバイスは、ドアベルなどの無線Ａ／Ｖ記録及び通信デバイス６４８である。しかしながら、例示される無線デバイス６４８は、１つの非限定的な例にすぎない。代替的な実施形態では、任意のタイプの無線デバイスは、無線スピーカデバイス６００に接続されてもよい。
【０１５３】
図３８を参照すると、ユーザのクライアントデバイス１１４は、ユーザの無線ネットワーク１１０に接続されてもよく（両矢印６４０によって示されるように）、無線Ａ／Ｖ記録及び通信デバイス６４８は、いずれの他のデバイス又はネットワークに接続されず、電力をオフにされてもよい。一部の実施形態では、無線スピーカデバイス６００に無線Ａ／Ｖ記録及び通信デバイス６４８を接続する処理は、ユーザのクライアントデバイス１１４上で実行するアプリケーションによって容易にされてもよい。無線スピーカデバイス６００に無線Ａ／Ｖ記録及び通信デバイス６４８を接続する他の処理は、アプリケーションを参照する以下の説明を明確にするために、ユーザのクライアントデバイス１１４上で実行するそのようなアプリケーションを含まなくてもよい。
【０１５４】
ユーザのクライアントデバイス１１４上で実行するアプリケーションは、ＡＰ（アクセスポイント）モードに無線Ａ／Ｖ記録及び通信デバイス６４８を設定するようにユーザを促すことができる。ＡＰモードに無線Ａ／Ｖ記録及び通信デバイス６４８を設定することは、例えば、無線Ａ／Ｖ記録及び通信デバイス６４８上のボタンを押下すること、並びに／又は無線Ａ／Ｖ記録及び通信デバイス６４８の電力をオンにすることを含んでもよい。ＡＰモードに設定されると、無線Ａ／Ｖ記録及び通信デバイス６４８は、無線プロビジョニングビーコンをブロードキャストしてもよい。プロビジョニングビーコンは、他の無線デバイスに、無線Ａ／Ｖ記録及び通信デバイス６４８が無線アクセスポイントであることを示すブロードキャスト無線信号である。プロビジョニングビーコンは、ＳＳＩＤ（サービスセット識別子）などの識別情報を含む。プロビジョニングビーコンはまた、無線アクセスポイントのセキュリティが開放されている（無線アクセスポイントに接続するためにパスワードが必要とされない）ことを示してもよい。
【０１５５】
ユーザのクライアントデバイス１１４上で実行するアプリケーションは次いで、ユーザの無線ネットワーク１１０及び／又はネットワーク１１２を介して、バックエンドＡＰＩ５３８に信号を送信してもよい。ユーザのクライアントデバイス１１４からの信号は、バックエンドＡＰＩ５３８に、新たな無線デバイス６４８が追加されていることを示してもよい。バックエンドＡＰＩ５３８は次いで、無線スピーカデバイス６００に、新たな無線デバイス６４８が追加されていることを無線スピーカデバイス６００に示す信号を送信してもよい。バックエンドＡＰＩ５３８から無線スピーカデバイス６００への信号は、無線Ａ／Ｖ記録及び通信デバイス６４８によってブロードキャストされたプロビジョニングビーコンを検索するための、無線スピーカデバイス６００へのコマンドを含んでもよい。
【０１５６】
バックエンドＡＰＩ５３８からコマンドを受信した後、無線スピーカデバイス６００は、無線Ａ／Ｖ記録及び通信デバイス６４８によってブロードキャストされたプロビジョニングビーコンを検索及び特定してもよい。図３９を参照すると、無線Ａ／Ｖ記録及び通信デバイス６４８によってブロードキャストされたプロビジョニングビーコンを特定した後、無線スピーカデバイス６００は、ユーザの無線ネットワーク１１０内の無線アクセスポイント（例えば、ルータ）とのその局の接続を切断してもよく、無線Ａ／Ｖ記録及び通信デバイス６４８の無線アクセスポイントに接続してもよい（両矢印６５０によって示されるように）。無線スピーカデバイス６００は次いで、無線Ａ／Ｖ記録及び通信デバイス６４８に、ＳＳＩＤなどの無線スピーカデバイス６００についての識別子、及び／又は無線スピーカデバイス６００に接続するためにパスワードが必要とされる場合にパスワードを含む、無線スピーカデバイス６００の認証情報を伝送してもよい。図４０を参照すると、無線スピーカデバイス６００が無線Ａ／Ｖ記録及び通信デバイス６４８にその認証情報を送信した後、無線スピーカデバイス６００は、無線Ａ／Ｖ記録及び通信デバイス６４８とのその局の接続を切断してもよく、ユーザの無線ネットワーク１１０内の無線アクセスポイント（例えば、ルータ）とのその局の接続を再確立してもよく（両矢印６５２によって示されるように）、無線Ａ／Ｖ記録及び通信デバイス６４８は、無線スピーカデバイス６００によって提供された認証情報を使用して、無線スピーカデバイス６００によって提供された無線アクセスポイントに接続してもよい（両矢印６５４によって示されるように）。
【０１５７】
図３８〜４０を参照して上記説明された、本無線スピーカデバイス６００に無線デバイス６４８を接続する処理は有利なことに、ユーザ介入をほとんど必要としない。ユーザは、ユーザのクライアントデバイス１１４上で実行するアプリケーションを開くことができ、ＡＰモードに接続されることになる無線デバイス６４８を設定することができる。それとは別の方法で、処理の全ての他の態様は、無線スピーカデバイス６００、バックエンドＡＰＩ５３８、及び接続されている無線デバイス６４８によって自動的に実行されてもよい。代替的な実施形態では、ユーザのクライアントデバイス１１４上で実行するアプリケーションが省略されてもよい。例えば、ユーザは、ＡＰモードに接続されることになる無線デバイス６４８を設定すること以外に何もしなくてもよい。無線スピーカデバイス６００は次いで、無線デバイス６４８によってブロードキャストされた無線プロビジョニングビーコンを検出してもよく、ユーザの無線ネットワーク１１０内の無線アクセスポイント（例えば、ルータ）とのその局の接続を自動的に切断してもよく、次いで、無線デバイス６４８の無線アクセスポイントに接続してもよい。接続処理の残りの態様は次いで、上記説明されたように実質的に続行してもよい。よって、本実施形態は有利なことに、無線スピーカデバイス６００に無線デバイスを接続するために必要なユーザ介入の量を減少させることによって、ユーザ経験を高度化する。
【０１５８】
一部の実施形態では、１つよりも多い無線スピーカデバイス６００は、ユーザの無線ネットワーク１１０に接続されてもよい。そのような実施形態では、バックエンドＡＰＩ５３８が、新たな無線デバイスが追加されていることを通知されるとき、バックエンドＡＰＩ５３８は、全ての接続された無線スピーカデバイス６００に、追加される無線デバイスによってブロードキャストされたプロビジョニングビーコンを検索するためのコマンドを含む信号を送信してもよい。無線スピーカデバイス６００の中で無線デバイスのプロビジョニングビーコンを特定し、無線デバイスのプロビジョニングビーコンに接続するための最初のもののいずれもが次いで、上記説明されたのと同一又は同様の方式において接続処理を続行することができる。
【０１５９】
一部の実施形態では、無線スピーカデバイス６００に新たな無線デバイスを接続する処理の間、無線スピーカデバイス６００によって提供された無線ＡＰは、無線スピーカデバイス６００がユーザの無線ネットワーク１１０内の無線アクセスポイント（例えば、ルータ）へのその局の接続から切断される間でさえ、完全な状態のままであり得る。この態様は有利なことに、無線スピーカデバイス６００によって提供されたＡＰに既に接続されていることがある任意の他の無線デバイスに対し、無線スピーカデバイス６００に新たな無線デバイスを接続する処理を見えないものにする。
【０１６０】
上記説明されたように、本実施形態は有利なことに、ドアベルなどの無線Ａ／Ｖ記録及び通信デバイスと共に使用するように構成され、また、無線リピータ（又は、範囲エキステンダ）として使用するように構成された無線スピーカデバイス６００を提供する。無線リピータ６２４を含む無線スピーカデバイス６００は、Ｗｉ−Ｆｉネットワークなどのユーザのローカルエリアネットワーク（ＬＡＮ）に接続してもよく、他の無線デバイスが接続することができる無線アクセスポイントを提供してもよい。無線スピーカデバイス６００は、バックエンドＡＰＩ５３８から、識別子及び／又はパスワードなどのその認証情報を受信してもよく、よって、１つ以上の追加の無線デバイスの接続を容易にする。そのような追加の無線デバイスは、ユーザ介入がほとんど又は全く必要とされることなく、無線スピーカデバイス６００に接続することができる。無線スピーカデバイス６００は、追加される無線デバイス（複数可）にその認証情報を渡してもよく、その結果、ユーザは、自身のこの情報を入力する必要がない。無線スピーカデバイス６００は更に、１つ以上の追加の無線スピーカデバイス６００と連動して、同一の（又は、同様の）認証情報を有する複数の無線スピーカデバイス６００のいずれかに接続することによって、接続された無線デバイスが最も強い利用可能な信号を享受することを可能にするローミングネットワークを形成することができる。無線スピーカデバイス６００はまた、新たなデバイスを認証することを容易にし、権限が付与されたデバイスのみが無線スピーカデバイス６００によって提供された無線アクセスポイントに接続することが可能であることを保証する。
【０１６１】
図４１は、本開示の様々な態様に従った、無線Ａ／Ｖ記録及び通信デバイスと共に使用するように構成されたクライアントデバイス８００の機能ブロック図である。図１を参照して説明されたユーザのクライアントデバイス１１４は、クライアントデバイス８００の構成要素及び／又は機能性の一部又は全てを含んでもよい。クライアントデバイス８００は、例えば、スマートフォンを含んでもよい。
【０１６２】
図４１を参照すると、クライアントデバイス８００は、プロセッサ８０２、メモリ８０４、ユーザインタフェース８０６、通信モジュール８０８、及びデータポート８１０を含む。それらの構成要素は、相互接続バス８１２によって共に通信可能に結合される。プロセッサ８０２は、ＡＲＭプロセッサ（アドバンストＲＩＳＣ（縮小命令セットコンピュータ）マシン（ＡＲＭ）によって開発されたＲＩＳＣアーキテクチャに基づいたプロセッサ）など、スマートフォン及び／又はポータブルコンピューティングデバイスにおいて使用される任意のプロセッサを含んでもよい。一部の実施形態では、プロセッサ８０２は、１つ以上の従来のマイクロプロセッサなどの１つ以上の他のプロセッサ、及び／又は計算コプロセッサなどの１つ以上の補助的コプロセッサを含んでもよい。
【０１６３】
メモリ８０４は、ランダムアクセスメモリ（ＲＡＭ）などの動作メモリ及びリードオンリメモリ（ＲＯＭ）、ハードドライブ、フラッシュメモリ、又は任意の他の適切なメモリ／記憶素子などのデータ記憶装置の両方を含んでもよい。メモリ８０４は、コンパクトフラッシュ（登録商標）カード、マルチメディアカード（ＭＭＣ）、及び／又はセキュアデジタル（ＳＤ）カードなど、着脱可能メモリ素子を含んでもよい。一部の実施形態では、メモリ８０４は、磁気、光学、及び／又は半導体メモリの組み合わせを含んでもよく、例えば、ＲＡＭ、ＲＯＭ、フラッシュドライブ、及び／又はハードディスク若しくはドライブを含んでもよい。プロセッサ８０２及びメモリ８０４は各々、例えば、単一のデバイス内に全体的に位置してもよく、或いはＵＳＢポート、シリアルポートケーブル、同軸ケーブル、イーサネット（登録商標）タイプケーブル、電話線、無線周波数送受信機、若しくは他の同様の無線若しくは有線媒体、又は上述の組み合わせなど、通信媒体によって相互に接続されてもよい。例えば、プロセッサ８０２は、データポート８１０を介してメモリ８０４に接続されてもよい。
【０１６４】
ユーザインタフェース８０６は、キーパッド、ディスプレイスクリーン、タッチスクリーン、マイクロフォン、及びスピーカなど、スマートフォン及び／又はポータブルコンピューティングデバイスに適切な任意のユーザインタフェース又は提示要素を含んでもよい。通信モジュール８０８は、クライアントデバイス８００と他の外部デバイス又は受信機との間の通信リンクを取り扱い、入来／発信データを適切に経路指定するように構成される。例えば、データポート８１０からのインバウンドデータは、プロセッサ８０２に案内される前に通信モジュール８０８を通じて経路指定されてもよく、プロセッサ８０２からのアウトバウンドデータは、データポート８１０に案内される前に通信モジュール８０８を通じて経路指定されてもよい。通信モジュール８０８は、データを送信及び受信し、例えば、ＧＳＭ、ＵＭＴＳ（３ＧＳＭ）、ＩＳ−９５（ＣＤＭＡ１）、ＩＳ−２０００（ＣＤＭＡ２０００）、ＬＴＥ、ＦＤＭＡ、ＴＤＭＡ、Ｗ−ＣＤＭＡ、ＣＤＭＡ、ＯＦＤＭＡ、Ｗｉ−Ｆｉ、ＷｉＭＡＸ、又は任意の他のプロトコル及び／若しくは技術など、１つ以上のプロトコル及び／又は技術を使用することができる１つ以上の送受信機を含んでもよい。
【０１６５】
データポート８１０は、ミニＵＳＢポート、ＩＰＨＯＮＥ（登録商標）／ＩＰＯＤ（登録商標）  ３０ピンコネクタ、又はＬＩＧＨＴＮＩＮＧ（登録商標）コネクタなど、スマートフォン及び／又はポータブルコンピューティングデバイスと物理的にインタフェース接続するために使用される任意のタイプのコネクタであってもよい。他の実施形態では、データポート８１０は、例えば、他のプロセッサ、サーバ、及び／又はクライアント端末との同時通信のための複数の通信チャネルを含んでもよい。
【０１６６】
メモリ８０４は、コンピュータなどの他のシステムと通信するための命令を記憶してもよい。メモリ８０４は、例えば、本実施形態に従ってプロセッサ８０２に命令するように適合されたプログラム（例えば、コンピュータプログラムコード）を記憶してもよい。命令はまた、オペレーティングシステムなどのプログラム要素を含んでもよい。プログラムにおける一連の命令の実行によって、プロセッサ８０２が本明細書で説明される処理ステップを実行するが、本実施形態の処理の実施のためのソフトウェア／ファームウェア命令の代わりに、又はそれとの組み合わせで配線接続回路が使用されてもよい。よって、本実施形態は、ハードウェア及びソフトウェアの任意の特定の組み合わせに限定されない。
【０１６７】
図４２は、本開示の様々な態様に従った、無線Ａ／Ｖ記録及び通信ドアベルと共に使用するように構成された汎用コンピューティングシステムの機能ブロック図である。コンピュータシステム９００は、パーソナルコンピュータ（デスクトップコンピュータとも称される）９００Ａ、ポータブルコンピュータ（ラップトップ若しくはノートブックコンピュータとも称される）９００Ｂ、及び／又はサーバ９００Ｃの少なくとも１つにおいて具体化されてもよい。サーバは、他のマシン又はソフトウェア（クライアント）からの要求を待ち、それらに応答するコンピュータプログラム及び／又はマシンである。サーバは典型的には、データを処理する。サーバの目的は、クライアントの間でデータ、ハードウェア、及び／又はソフトウェアリソースを共有することである。このアーキテクチャは、クライアント−サーバモデルと呼ばれる。クライアントは、同一のコンピュータ上で稼働してもよく、又はネットワークを通じてサーバに接続してもよい。コンピューティングサーバの例は、データベースサーバ、ファイルサーバ、メールサーバ、プリントサーバ、ウェブサーバ、ゲームサーバ、及びアプリケーションサーバを含む。サーバという用語は、１つ以上のクライアント処理に対してリソースを共有する任意のコンピュータ化された処理を含むと広義に解釈されてもよい。
【０１６８】
コンピュータシステム９００は、上記説明された動作の少なくとも一部を実行してもよい。コンピュータシステム９００は、少なくとも１つのプロセッサ９１０、メモリ９２０、少なくとも１つの記憶装置９３０、及び入力／出力（Ｉ／Ｏ）デバイス９４０を含んでもよい。構成要素９１０、９２０、９３０、９４０の一部又は全ては、システムバス９５０を介して相互接続されてもよい。プロセッサ９１０は、シングルスレッド又はマルチスレッドであってもよく、１つ以上のコアを有してもよい。プロセッサ９１０は、メモリ９２０及び／又は記憶装置９３０に記憶された命令などの命令を実行してもよい。情報は、１つ以上のＩ／Ｏデバイス９４０を使用して受信及び出力されてもよい。
【０１６９】
メモリ９２０は、情報を記憶してもよく、揮発性又は不揮発性メモリなどのコンピュータ可読媒体であってもよい。記憶装置（複数可）９３０は、システム９００についての記憶を提供することができ、コンピュータ可読媒体であってもよい。様々な態様では、記憶装置（複数可）９３０は、フラッシュメモリデバイス、ハードディスクデバイス、光ディスクデバイス、テープデバイス、又は任意の他のタイプの記憶装置であってもよい。
【０１７０】
Ｉ／Ｏデバイス９４０は、システム９００についての入力／出力操作を提供することができる。Ｉ／Ｏデバイス９４０は、キーボード、ポインティングデバイス、及び／又はマイクロフォンを含んでもよい。Ｉ／Ｏデバイス９４０は更に、グラフィカルユーザインタフェースを表示するためのディスプレイユニット、スピーカ、及び／又はプリンタを含んでもよい。外部データは、１つ以上のアクセス可能な外部データベース９６０に記憶されてもよい。
【０１７１】
本明細書で説明される本実施形態の特徴は、デジタル電子回路、並びに／又はコンピュータハードウェア、ファームウェア、ソフトウェア、及び／若しくはそれらの組み合わせにおいて実施されてもよい。本実施形態の特徴は、プログラム可能プロセッサによる実行のための、機械可読記憶装置などの情報搬送波、及び／又は伝播信号において有形的に具体化されたコンピュータプログラム製品において実施されてもよい。本方法のステップの実施形態は、入力データに関して動作し、出力を生成することによって説明された実装態様の機能を実行するように命令のプログラムを実行するプログラム可能プロセッサによって実行されてもよい。
【０１７２】
本明細書で説明される本実施形態の特徴は、データ記憶システム、少なくとも１つの入力デバイス、及び少なくとも１つの出力デバイスからデータ及び／又は命令を受信し、それらにデータ及び／又は命令を伝送するように結合された少なくとも１つのプログラム可能プロセッサを含む、プログラム可能システム上で実行可能な１つ以上のコンピュータプログラムにおいて実施されてもよい。コンピュータプログラムは、特定の動作を実行し、又は特定の結果を引き起こすためにコンピュータにおいて直接又は間接的に使用することができる命令セットを含んでもよい。コンピュータプログラムは、コンパイル言語又はインタプリタ言語を含む任意の形式のプログラミング言語で記述されてもよく、それは、スタンドアロンプログラム若しくはモジュール、コンンポーネント、サブルーチン、又はコンピューティング環境における使用に適切な他のユニットとして含む、任意の形式において開発されてもよい。
【０１７３】
命令のプログラムの実行に適切なプロセッサは、例えば、汎用プロセッサ及び特殊目的プロセッサの両方、並びに／又は任意の種類のコンピュータの単一のプロセッサ若しくは複数のプロセッサのうちの１つを含んでもよい。概して、プロセッサは、リードオンリメモリ（ＲＯＭ）、ランダムアクセスメモリ（ＲＡＭ）、又はその両方から命令及び／又はデータを受信してもよい。そのようなコンピュータは、命令を実行するためのプロセッサ、並びに命令及び／又はデータを記憶するための１つ以上のメモリを含んでもよい。
【０１７４】
概して、コンピュータはまた、データファイルを記憶するための１つ以上の大容量記憶装置を含んでもよく、又は１つ以上の大容量記憶装置と通信するように動作可能に結合されてもよい。そのようなデバイスは、内部ハードディスク及び／若しくは着脱可能ディスクなどの磁気ディスク、磁気−光ディスク、並びに／又は光ディスクを含む。コンピュータプログラム命令及び／又はデータを有形的に具体化するために適切な記憶装置は、例えば、ＥＰＲＯＭ、ＥＥＰＲＯＭ、及びフラッシュメモリデバイスなどの半導体メモリデバイス、内部ハードディスク及び着脱可能ディスクなどの磁気ディスク、磁気−光ディスク、並びにＣＤ−ＲＯＭ及びＤＶＤ−ＲＯＭディスクを含む、全ての形式の不揮発性メモリを含んでもよい。プロセッサ及びメモリは、１つ以上のＡＳＩＣ（特定用途向け集積回路）によって補完されてもよく、又は１つ以上のＡＳＩＣに組み込まれてもよい。
【０１７５】
ユーザとの対話を提供するために、本実施形態の特徴は、ユーザに情報を表示するための、ＬＣＤ（液晶ディスプレイ）モニタなどのディスプレイデバイスを有するコンピュータ上で実施されてもよい。コンピュータは更に、キーボード、マウス若しくはトラックボールなどのポインティングデバイス、及び／又はタッチスクリーンを含んでもよく、それらによって、ユーザは、コンピュータに入力を提供することができる。
【０１７６】
本実施形態の特徴は、データサーバなどのバックエンド構成要素を含み、並びに／或いはアプリケーションサーバ若しくはインターネットサーバなどのミドルウェア構成要素を含み、並びに／或いはグラフィカルユーザインタフェース（ＧＵＩ）及び／若しくはインターネットブラウザ、又はそれらの任意の組み合わせを有するクライアントコンピュータなどのフロントエンド構成要素を含む、コンピュータシステムにおいて実施されてもよい。システムの構成要素は、通信ネットワークなど、デジタルデータ通信の任意の形式又は媒体によって接続されてもよい。通信ネットワークの例は、例えば、ＬＡＮ（ローカルエリアネットワーク）、ＷＡＮ（ワイドエリアネットワーク）、並びに／又はインターネットを形成するコンピュータ及びネットワークを含んでもよい。
【０１７７】
コンピュータシステムは、クライアント及びサーバを含んでもよい。クライアント及びサーバは、相互にリモートであってもよく、本明細書で説明されるネットワークなどのネットワークを通じて対話してもよい。クライアント及びサーバの関係は、それぞれのコンピュータ上で稼働し、相互にクライアント−サーバ関係を有するコンピュータプログラムによって生じてもよい。
【０１７８】
上記説明は、任意の関連する当業者が本実施形態を実施することを可能にするように、そのような完全、明確、簡潔、且つ正確な用語において、それらの実施形態を実行するため、及びそれらを実施する方式及び処理の、考慮される最良モードを提示する。しかしながら、本実施形態は、完全に均等である上記議論されたものからの修正及び代替的な構成の影響を受ける。その結果として、本発明は、開示される特定の実施形態に限定されない。むしろ、本発明は、本開示の精神及び範囲内にある全ての修正及び代替的な構成に及ぶ。例えば、本明細書で説明される処理におけるステップは、それらが提示されたのと同一の順序で実行される必要はなく、任意の順序（複数可）で実行されてもよい。更に、別個に実行されるとして提示されたステップは、代替的な実施形態では、同時に実行されてもよい。同様に、同時に実行されるとして提示されたステップは、代替的な実施形態では、別個に実行されてもよい。
【図１】
2019527963.tif 000003
【図２】
2019527963.tif 000004
【図３】
2019527963.tif 000005
【図４Ａ】
2019527963.tif 000006
【図４Ｂ】
2019527963.tif 000007
【図５】
2019527963.tif 000008
【図６】
2019527963.tif 000009
【図７】
2019527963.tif 000010
【図８】
2019527963.tif 000011
【図９】
2019527963.tif 000012
【図１０】
2019527963.tif 000013
【図１１】
2019527963.tif 000014
【図１２】
2019527963.tif 000015
【図１３】
2019527963.tif 000016
【図１４】
2019527963.tif 000017
【図１５】
2019527963.tif 000018
【図１６Ａ】
2019527963.tif 000019
【図１６Ｂ】
2019527963.tif 000020
【図１７Ａ】
2019527963.tif 000021
【図１７Ｂ】
2019527963.tif 000022
【図１８Ａ】
2019527963.tif 000023
【図１８Ｂ】
2019527963.tif 000024
【図１９】
2019527963.tif 000025
【図２０】
2019527963.tif 000026
【図２１】
2019527963.tif 000027
【図２２】
2019527963.tif 000028
【図２３】
2019527963.tif 000029
【図２４】
2019527963.tif 000030
【図２５】
2019527963.tif 000031
【図２６】
2019527963.tif 000032
【図２７】
2019527963.tif 000033
【図２８】
2019527963.tif 000034
【図２９】
2019527963.tif 000035
【図３０】
2019527963.tif 000036
【図３１】
2019527963.tif 000037
【図３２】
2019527963.tif 000038
【図３３】
2019527963.tif 000039
【図３４】
2019527963.tif 000040
【図３５】
2019527963.tif 000041
【図３６】
2019527963.tif 000042
【図３７】
2019527963.tif 000043
【図３８】
2019527963.tif 000044
【図３９】
2019527963.tif 000045
【図４０】
2019527963.tif 000046
【図４１】
2019527963.tif 000047
【図４２】
2019527963.tif 000048
【国際調査報告】
2019527963.tif 000049